(57)【要約】      （修正有）【課題】構成を複雑化することなく、簡易な構成で被保護者に対する保護を図る。【解決手段】被保護者管理システム１は、子供Ｐ１Ａに所持される、被保護者情報を記憶したＩＣ回路部及びタグアンテナを備える子供用タグＴ１Ａと、子供Ｐ１Ａの親Ｐ２Ａ、Ｐ２Ｂに所持される、被保護者情報に関連付けられた保護者情報を記憶したＩＣ回路部及びタグアンテナを備える親用タグＴ２Ａ、Ｔ２Ｂと、複数のリーダＲ１Ａ〜Ｒ１Ｊとを有し、特定のリーダＲ１Ｈが子供用タグＴ１Ａから被保護者情報を取得したとき、対応する親用タグＴ２Ａ、Ｔ２Ｂからも保護者情報が取得されるような、子供Ｐ１Ａの保護状態を維持するための所定の情報処理を行う。【選択図】図９
2011034423.tif 000002
【特許請求の範囲】
【請求項１】
被保護者情報を記憶した第１ＩＣ回路部、及び、情報を送受信する第１タグアンテナを備え、被保護者に所持される少なくとも１つの第１無線タグと、
前記被保護者情報に対し関連付けられた保護者情報を記憶した第２ＩＣ回路部、及び、情報を送受信する第２タグアンテナを備え、前記被保護者の保護者に所持される少なくとも１つの第２無線タグと、
所定の通信範囲を形成し、前記通信範囲内に位置する前記第１無線タグ及び前記第２無線タグから、無線通信により前記被保護者情報及び前記保護者情報を取得可能な少なくとも１つの情報読み取り手段と、
特定の第１情報読み取り手段が前記第１無線タグから前記被保護者情報を取得したとき、対応する前記第２無線タグからも前記保護者情報が取得されるような、被保護者の保護状態を維持するための所定の情報処理を行う情報処理手段と
を有することを特徴とする被保護者管理システム。
【請求項２】
請求項１記載の被保護者管理システムにおいて、
前記第１ＩＣ回路部に記憶される前記第１無線タグの第１タグ識別情報と、前記第２ＩＣ回路部に記憶される前記第２無線タグの第２タグ識別情報とを互いに関連付け、前記第１タグ識別情報を前記被保護者情報とするとともに、前記第２タグ識別情報を前記保護者情報とする関連付け処理手段を有する
ことを特徴とする被保護者管理システム。
【請求項３】
請求項１又は請求項２記載の被保護者管理システムにおいて、
前記情報処理手段は、
前記第１情報読み取り手段により、少なくとも１つの前記第１無線タグから前記被保護者情報が取得されるとともに当該第１無線タグに関連付けられた前記第２無線タグから前記保護者情報が取得されなかった場合に、対応する報知を行うための報知信号を生成し出力する報知信号生成手段である
ことを特徴とする被保護者管理システム。
【請求項４】
請求項３記載の被保護者管理システムにおいて、
前記第１情報読み取り手段は、
所定の管理区画に設けられ、当該管理区画の境界の通過検出が可能な前記通信範囲を形成し、前記第１無線タグ又は前記第２無線タグからの前記被保護者情報又は前記保護者情報の取得を行う、通過検出用情報読み取り手段である
ことを特徴とする被保護者管理システム。
【請求項５】
請求項４記載の被保護者管理システムにおいて、
特定の前記第２無線タグの前記第２ＩＣ回路部に記憶された前記保護者情報と実質的に同一の情報を記憶した第３ＩＣ回路部、及び、情報を送受信する第３タグアンテナを備え、システム管理者又はその権限を委託された者に所持される第３無線タグを有する
ことを特徴とする被保護者管理システム。
【請求項６】
請求項４記載の被保護者管理システムにおいて、
少なくとも１つの前記第１無線タグの前記第１ＩＣ回路部は、
特定の前記管理区画の境界の前記通過検出時において、前記第２無線タグの前記第２ＩＣ回路部に記憶された前記保護者情報と同等に機能可能な保護者代理情報を記憶している
ことを特徴とする被保護者管理システム。
【請求項７】
請求項３乃至請求項６のいずれか１項記載の被保護者管理システムにおいて、
前記第１情報読み取り手段により、少なくとも１つの前記第１無線タグから前記被保護者情報が取得されるとともに、当該第１無線タグに関連付けられた前記第２無線タグ又は前記第３無線タグから前記保護者情報又はこれと実質的に同一の情報が取得されなかった場合に、当該第１無線タグを所持する前記被保護者を撮影するための撮像手段を有する
ことを特徴とする被保護者管理システム。
【請求項８】
請求項１又は請求項２記載の被保護者管理システムにおいて、
前記情報処理手段は、
前記第１情報読み取り手段に先だって情報読み取りを行う第２情報読み取り手段により、少なくとも１つの前記第１無線タグ及び少なくとも１つの前記第２無線タグを含む合計３つ以上の無線タグから、前記被保護者情報及び当該被保護者情報に関連付けられた前記保護者情報が取得された場合に、当該３つ以上の無線タグを、少なくとも１つの前記第１無線タグ及び少なくとも１つの前記第２無線タグを含む第１グループと、それ以外の第２グループとに、グループ分けするガイド表示を行うための表示信号を生成し出力する表示信号生成手段である
ことを特徴とする被保護者管理システム。
【請求項９】
請求項８記載の被保護者管理システムにおいて、
前記第１情報読み取り手段は複数設けられており、
当該複数の第１情報読み取り手段は、
前記第１グループに含まれる前記少なくとも１つの第１無線タグと前記少なくとも１つの第２無線タグとを前記通信範囲内に含み、それら第１無線タグ及び第２無線タグから前記被保護者情報及び前記保護者情報を取得する第１グループ用情報読み取り手段と、
前記第２グループに含まれる少なくとも１つの前記第１無線タグ又は前記第２無線タグを前記通信範囲内に含み、当該第１無線タグ又は第２無線タグから前記被保護者情報又は前記保護者情報を取得する第２グループ用情報読み取り手段と
を含むことを特徴とする被保護者管理システム。
【発明の詳細な説明】
【技術分野】
【０００１】
本発明は、保護者が子供、老人、病人等の被保護者を管理するための被保護者管理システムに関するものである。
【背景技術】
【０００２】
例えば迷子になった子供（被保護者）を親（保護者）が探すための位置検出システムとして、例えば特許文献１記載のものが知られている。この従来技術では、グローバルポジショニングシステム（ＧＰＳ）を用いて、被保護者の位置と保護者の位置とを検出する。そして、その検出結果に基づき、捜索者である保護者から見てどの方向にどれだけ離れた場所に被保護者がいるかを算出し、表示手段に表示して保護者に知らせるようになっている。
【先行技術文献】
【特許文献】
【０００３】
【特許文献１】特開平１０−１０４３３１号公報
【発明の概要】
【発明が解決しようとする課題】
【０００４】
上記従来技術では、まず、保護者側の受信局に設けた測位手段と被保護者側の受信局に設けた測位手段とが、それぞれＧＰＳ衛星からの情報を受信して自らの位置を演算する（第１の測位手段と第２測位手段）。その後、それら２つの測位手段が、自ら演算した自己の位置情報をさらにサーバ等（相対位置算出手段）へ送信し、そのサーバにおいて２つの受信局間の距離を求める必要がある。すなわち、受信局において、ＧＰＳ衛星との通信とサーバ側との通信の２種類の通信に対応した構成が必要となり、システム構成が複雑化するという問題があった。
【０００５】
本発明の目的は、構成を複雑化することなく、簡易な構成で被保護者に対する保護を図れる、被保護者管理システムを提供することにある。
【課題を解決するための手段】
【０００６】
上記目的を達成するために、第１の発明は、被保護者情報を記憶した第１ＩＣ回路部、及び、情報を送受信する第１タグアンテナを備え、被保護者に所持される少なくとも１つの第１無線タグと、前記被保護者情報に対し関連付けられた保護者情報を記憶した第２ＩＣ回路部、及び、情報を送受信する第２タグアンテナを備え、前記被保護者の保護者に所持される少なくとも１つの第２無線タグと、所定の通信範囲を形成し、前記通信範囲内に位置する前記第１無線タグ及び前記第２無線タグから、無線通信により前記被保護者情報及び前記保護者情報を取得可能な少なくとも１つの情報読み取り手段と、特定の第１情報読み取り手段が前記第１無線タグから前記被保護者情報を取得したとき、対応する前記第２無線タグからも前記保護者情報が取得されるような、被保護者の保護状態を維持するための所定の情報処理を行う情報処理手段とを有することを特徴とする。
【０００７】
本願第１発明においては、被保護者は第１無線タグを所持しており、この第１無線タグに備えられた第１ＩＣ回路部に被保護者情報が記憶されている。また、被保護者を保護する保護者は第２無線タグを所持しており、この第２無線タグに備えられた第２ＩＣ回路部に、上記被保護者情報に関連付けられた保護者情報が記憶されている。さらに、少なくとも１つの情報読み取り手段が設けられ、各情報読み取り手段は、上記第１無線タグや第２無線タグを含むような通信範囲を形成して無線通信を行い、第１無線タグから被保護者情報を取得するとともに、第２無線タグから保護者情報を取得することができる。そして、情報処理手段が、上記情報読み取り手段の情報取得結果に応じて、被保護者の保護状態を維持するための所定の情報処理を行う。これにより、特定の第１情報読み取り手段が第１無線タグから被保護者情報を取得したときに、対応する前記第２無線タグからも保護者情報を取得するような（言い換えれば、通信範囲に第１無線タグが存在する場合には、対応する第２無線タグも必ず同じ通信範囲に存在するような）、所定の処理が実行される。これにより、第２無線タグを所持する保護者による、第１無線タグを所持する被保護者に対する保護状態が損なわれないようにすることができる。この結果、構成を複雑化することなく簡易な構成で被保護者に対する保護を図ることができ、セキュリティーや防犯性を向上することができる。
【０００８】
第２発明は、上記第１発明において、前記第１ＩＣ回路部に記憶される前記第１無線タグの第１タグ識別情報と、前記第２ＩＣ回路部に記憶される前記第２無線タグの第２タグ識別情報とを互いに関連付け、前記第１タグ識別情報を前記被保護者情報とするとともに、前記第２タグ識別情報を前記保護者情報とする関連付け処理手段を有することを特徴とする。
【０００９】
これにより、予め第１ＩＣ回路部及び第２ＩＣ回路部に対し第１タグ識別情報及び第２タグ識別情報をそれぞれ記憶させておき（あるいは製造時に既に記憶された第１タグ識別情報や第２タグ識別情報を用いてもよい）、それらを事後的に関連付け処理手段で関連付けることで、第１無線タグと第２無線タグとを対応付けることができる。また、この結果、それぞれ固有のタグ識別情報を記憶させた同一仕様の複数の無線タグを利用しつつ、タグ識別情報の管理のみによって、第１無線タグや第２無線タグとして使用することもできる。
【００１０】
第３発明は、上記第１又は第２発明において、前記情報処理手段は、前記第１情報読み取り手段により、少なくとも１つの前記第１無線タグから前記被保護者情報が取得されるとともに当該第１無線タグに関連付けられた前記第２無線タグから前記保護者情報が取得されなかった場合に、対応する報知を行うための報知信号を生成し出力する報知信号生成手段であることを特徴とする。
【００１１】
これにより、第１無線タグを所持する被保護者の近傍に第２無線タグを所持する保護者が存在しない状態を確実に検出し、対応する報知を例えば管理者や保護者に対して行うことができる。この結果、被保護者が保護者から長時間はぐれた状態となるのを防止し、セキュリティーや防犯性を向上することができる。
【００１２】
第４発明は、上記第３発明において、前記第１情報読み取り手段は、所定の管理区画に設けられ、当該管理区画の境界の通過検出が可能な前記通信範囲を形成し、前記第１無線タグ又は前記第２無線タグからの前記被保護者情報又は前記保護者情報の取得を行う、通過検出用情報読み取り手段であることを特徴とする。
【００１３】
これにより、第１無線タグを所持する被保護者が、単独で（＝第２無線タグを所持する保護者が同伴しない状態で）管理区画の境界を通過した場合に、そのことを確実に検出することができる。この結果、被保護者が単独で当該管理区画から出ないように管理することができる。また、被保護者の通過検出時には、その検出結果から、直前まで被保護者がどこにいたのかを推定することができる効果もある。
【００１４】
第５発明は、上記第４発明において、特定の前記第２無線タグの前記第２ＩＣ回路部に記憶された前記保護者情報と実質的に同一の情報を記憶した第３ＩＣ回路部、及び、情報を送受信する第３タグアンテナを備え、システム管理者又はその権限を委託された者に所持される第３無線タグを有することを特徴とする。
【００１５】
これにより、システム管理者やその委託者が第３無線タグを所持することで、保護者と同等の権限を有する者として、保護者を代理して被保護者を保護管理することが可能となる。また、被保護者単独での通過が禁止される管理区画の境界についても、第３無線タグを所持したシステム管理者や委託者が同伴することで通過可能とすることができる。
【００１６】
第６発明は、上記第４発明において、少なくとも１つの前記第１無線タグの前記第１ＩＣ回路部は、特定の前記管理区画の境界の前記通過検出時において、前記第２無線タグの前記第２ＩＣ回路部に記憶された前記保護者情報と同等に機能可能な保護者代理情報を記憶していることを特徴とする。
【００１７】
これにより、保護者代理情報を記憶した第１無線タグを所持した一部の被保護者については、通常は被保護者単独での通過が禁止される管理区画の境界についても、例外的に単独で通過可能とすることができる。この結果、さらにきめの細かい管理が可能となり、利便性が向上する。
【００１８】
第７発明は、上記第３乃至第６発明のいずれかにおいて、前記第１情報読み取り手段により、少なくとも１つの前記第１無線タグから前記被保護者情報が取得されるとともに、当該第１無線タグに関連付けられた前記第２無線タグ又は前記第３無線タグから前記保護者情報又はこれと実質的に同一の情報が取得されなかった場合に、当該第１無線タグを所持する前記被保護者を撮影するための撮像手段を有することを特徴とする。
【００１９】
これにより、第１無線タグを所持する被保護者が単独で管理区画の境界を通過した場合に、その通過した被保護者の外見映像を取得することができる。この結果、保護者は、自らの保護対象である被保護者がはぐれたことを確実に認識することができる。
【００２０】
第８発明は、上記第１又は第２発明において、前記情報処理手段は、前記第１情報読み取り手段に先だって情報読み取りを行う第２情報読み取り手段により、少なくとも１つの前記第１無線タグ及び少なくとも１つの前記第２無線タグを含む合計３つ以上の無線タグから、前記被保護者情報及び当該被保護者情報に関連付けられた前記保護者情報が取得された場合に、当該３つ以上の無線タグを、少なくとも１つの前記第１無線タグ及び少なくとも１つの前記第２無線タグを含む第１グループと、それ以外の第２グループとに、グループ分けするガイド表示を行うための表示信号を生成し出力する表示信号生成手段であることを特徴とする。
【００２１】
本願第８発明は、３つ以上の無線タグをそれぞれ持った保護者及び被保護者からなる集団（例えば家族等）が、例えばレストランや休憩所の空席位置等のやむを得ない都合により、２つのグループに分かれて行動せざるを得ない場合に、対応するものである。第２情報読み取り手段が、そのような集団の存在を、通信範囲内に位置する第１及び第２無線タグからの情報取得結果によって検知すると、表示信号生成手段は、被保護者の所持する第１無線タグが存在する第１グループに、必ず第２無線タグが含められるような、ガイド表示の表示信号を出力する。これにより、上記集団に対し、被保護者がいるグループには必ず最低１人の保護者が含まれるようなグループ分けのガイド表示が行われるので、被保護者が保護者なしの単独で行動する状態を回避することができる。この結果、セキュリティーや防犯性を向上することができる。
【００２２】
第９発明は、上記第８発明において、前記第１情報読み取り手段は複数設けられており、当該複数の第１情報読み取り手段は、前記第１グループに含まれる前記少なくとも１つの第１無線タグと前記少なくとも１つの第２無線タグとを前記通信範囲内に含み、それら第１無線タグ及び第２無線タグから前記被保護者情報及び前記保護者情報を取得する第１グループ用情報読み取り手段と、前記第２グループに含まれる少なくとも１つの前記第１無線タグ又は前記第２無線タグを前記通信範囲内に含み、当該第１無線タグ又は第２無線タグから前記被保護者情報又は前記保護者情報を取得する第２グループ用情報読み取り手段とを含むことを特徴とする。
【００２３】
これにより、３つ以上の無線タグをそれぞれ持った保護者及び被保護者からなる上記家族等が、上記ガイド表示に従い、被保護者に対し最低１人の保護者が付き添ったグループと、それ以外のグループとに分かれて行動したことを、確実に識別することができる。
【発明の効果】
【００２４】
本発明によれば、構成を複雑化することなく、簡易な構成で被保護者に対する保護を図ることができる。
【図面の簡単な説明】
【００２５】
【図１】本発明の一実施の形態の被保護者管理システムの全体構成を概略的に示す説明図である。
【図２】被保護者管理システムの機能的構成を表す機能ブロック図である。
【図３】第１リーダ及びリーダライタの高周波回路の詳細構成を表す機能ブロック図である。
【図４】子供・親用タグに備えられる無線タグ回路素子の機能的構成を表す機能ブロック図である。
【図５】管理サーバによって関連付けが行われる前の、子供・親用タグの無線タグ回路素子のＩＣ回路部のメモリ部の記憶内容を概念的に示す図である。
【図６】管理サーバによって関連付けが行われた後の、子供・親用タグの無線タグ回路素子のＩＣ回路部のメモリ部の記憶内容を概念的に示す図である。
【図７】子供が所定のゾーンの境界を通過する際の状態を表す概念的説明図である。
【図８】子供が所定のゾーンの境界を通過する際の状態を表す概念的説明図である。
【図９】子供が所定のゾーンの境界を通過する際の状態を表す概念的説明図である。
【図１０】管理サーバのＣＰＵによって実行される、子供に所持される子供用タグの第１タグＩＤと、その子供の親に所持される親用タグの第２タグＩＤとの関連付けに関する制御内容を表すフローチャートである。
【図１１】管理サーバのＣＰＵによって実行される、ゾーンの境界の通過検出、及び、報知に関する制御内容を表すフローチャートである。
【図１２】特定のゾーンの境界については、一部の子供単独でも通過可能とする変形例において、被保護者管理システムの全体構成を概略的に示す説明図である。
【図１３】子供が単独で特定のゾーンの境界を通過する際の状態を表す概念的説明図である。
【図１４】管理サーバのＣＰＵによって実行される、ゾーンの境界の通過検出、及び、報知に関する制御内容を表すフローチャートである。
【図１５】係員が親を代理する変形例において、被保護者管理システムの全体構成を概略的に示す説明図である。
【図１６】子供が係員に同伴された状態でゾーンの境界を通過する際の状態を表す概念的説明図である。
【図１７】子供が所定のゾーンの境界を単独で通過したら、その子供をカメラにより撮影し報知する変形例において、被保護者管理システムの全体構成を概略的に示す説明図である。
【図１８】子供が単独でゾーンの境界を通過する際の状態を表す概念的説明図である。
【図１９】管理サーバのＣＰＵによって実行される、ゾーンの境界の通過検出、及び、報知に関する制御内容を表すフローチャートである。
【図２０】本発明の第２の実施形態による被保護者管理システムの全体構成を概略的に示す説明図である。
【図２１】被保護者管理システムの機能的構成を表す機能ブロック図である。
【図２２】各テーブルと、検出された空席数との対応関係の一例を表す図である。
【図２３】各テーブルと、検出された空席数との対応関係の他の例を表す図である。
【図２４】３人家族のグループ分けについて説明する説明図である。
【図２５】ガイド表示時における、ディスプレイでの表示画面の一例を表す図である。
【図２６】３人家族のグループ分けについて説明する説明図である。
【図２７】ガイド表示時における、ディスプレイでの表示画面の一例を表す図である。
【図２８】３人家族が、グループ分けのガイド表示に従ってグループ分けし、別々のテーブルに係るイスに着席している状態を表す図である。
【図２９】４人家族のグループ分けについて説明する説明図である。
【図３０】管理サーバのＣＰＵによって実行される、ガイド表示及び着席確認に関する制御内容を表すフローチャートである。
【発明を実施するための形態】
【００２６】
以下、本発明の実施の形態を図面を参照しつつ説明する。
【００２７】
本発明の第１実施形態を図１〜図１９により説明する。本実施形態は、本発明の被保護者管理システムを、一例として水族館に適用した場合の例である。
【００２８】
図１は、本実施形態の被保護者管理システムの全体構成を概略的に示す説明図である。
【００２９】
図１において、水族館に、各種の鑑賞対象物（図示せず。例えば魚類、水中動物、水中植物など）を含む複数の水槽ａ〜ｈが設けられている。また、この水族館においては、上記水槽ａ〜ｈ内の鑑賞対象物を鑑賞しつつ入口から出口に到る経路（図中矢印Ｘで示す。以下適宜、「正規経路Ｘ」と称する）が予め定められている。また、この水族館の入口付近には、水族館へ入場するための入場券を受け取る（例えば購入する）ための受付カウンタ１０が設置されている。
【００３０】
本実施形態の被保護者管理システム１は、無線タグを用いて、親子連れにおける子供の保護を図るものである。すなわち、被保護者管理システム１は、子供Ｐ１に所持される子供用タグＴ１と、その子供Ｐ１の親Ｐ２に所持される親用タグＴ２と、複数の（この例では１０個の）リーダＲ１Ａ〜Ｒ１Ｊ（通過検出用情報読み取り手段、第１情報読み取り手段、情報読み取り手段）と、リーダライタＲＷと、管理サーバ２０とを有している。この図１では、一例として、子供用タグＴ１（第１無線タグ。図示の例では子供用タグＴ１Ａ）を所持する、１人の子供Ｐ１（被保護者。図示の例では子供Ｐ１Ａ）と、親用タグＴ２（第２無線タグ。図示の例では親用タグＴ２Ａ，Ｔ２Ｂ）を所持する、上記子供Ｐ１の２人の親Ｐ２（保護者。図示の例では親Ｐ２Ａ，Ｐ２Ｂ）とが水族館に入場した場合を示している。
【００３１】
なお、以下適宜、子供Ｐ１（後述するように他の子供Ｐ１Ｂ〜Ｐ１Ｆがある場合はこれを含む）及び親Ｐ２（後述するように他の親Ｐ２Ｃ〜Ｐ２Ｏがある場合はこれを含む）を総称して単に「子供・親Ｐ」のように称する。また、子供用タグＴ１（後述のように他の子供Ｐ１Ｂに係る子供用タグＴ１Ｂがある場合はこれを含む）及び親用タグＴ２を総称して単に「子供・親用タグＴ」「タグＴ」のように称する。
【００３２】
各子供・親用タグＴは、無線タグ回路素子Ｔｏ（後述の図２参照）をそれぞれ備えており、この例では、各子供・親Ｐごとに所持されるＩＤカードやＩＤチケットなどの入場券の形態を取っている。なお、子供・親用タグＴの形態については、上記入場券に限定するものではなく、例えば手首に取り付ける腕輪のような装身具等でもよい。
【００３３】
また、この例では、この子供・親用タグＴは、例えば子供・親Ｐが水族館へ入場する際に、受付カウンタ１０で係員Ｓ（システム管理者。又はその権限を委託された者でもよい）から受け取るようになっている。あるいは、例えば自動券売機などで受け取るようにしてもよい。そして、このとき子供Ｐ１が受け取る子供用タグＴ１と、その子供Ｐ１の親Ｐ２が受け取る親用タグＴ２とは、管理サーバ２０により互いに関連付けられている（例えばそれぞれのタグＩＤが関係づけられている）。
【００３４】
各リーダＲ１Ａ〜Ｒ１Ｊは、水族館の通路の例えば壁面にそれぞれ設置され、所定のゾーンＺＡ〜ＺＪ（所定の管理区画）のうち隣接するゾーン同士の境界（図示せず）の通過検出が可能な、所定の通信範囲Ｗ１Ａ〜Ｗ１Ｊをそれぞれ形成している。すなわち、リーダＲ１Ａの通信範囲Ｗ１ＡはゾーンＺＡ，ＺＢの境界に位置し、当該リーダＲ１Ａはその境界の通過検出を行える。リーダＲ１Ｂの通信範囲Ｗ１ＢはゾーンＺＢ，ＺＣの境界に位置し、当該リーダＲ１Ｂはその境界の通過検出を行える。リーダＲ１Ｃの通信範囲Ｗ１ＣはゾーンＺＣ，ＺＤの境界に位置し、当該リーダＲ１Ｃはその境界の通過検出を行える。リーダＲ１Ｄの通信範囲Ｗ１ＤはゾーンＺＤ，ＺＥの境界に位置し、当該リーダＲ１Ｄはその境界の通過検出を行える。リーダＲ１Ｅの通信範囲Ｗ１ＥはゾーンＺＥ，ＺＦの境界に位置し、当該リーダＲ１Ｅはその境界の通過検出を行える。リーダＲ１Ｆの通信範囲Ｗ１ＦはゾーンＺＦ，ＺＧの境界に位置し、当該リーダＲ１Ｆはその境界の通過検出を行える。リーダＲ１Ｇの通信範囲Ｗ１ＧはゾーンＺＧ，ＺＨの境界に位置し、当該リーダＲ１Ｇはその境界の通過検出を行える。リーダＲ１Ｈの通信範囲Ｗ１ＨはゾーンＺＨ，ＺＩの境界に位置し、当該リーダＲ１Ｈはその境界の通過検出を行える。リーダＲ１Ｉの通信範囲Ｗ１ＩはゾーンＺＩと出口近傍ゾーンとの境界に位置し、当該リーダＲ１Ｉはその境界の通過検出（言い換えれば出口通過検出）を行える。リーダＲ１Ｊの通信範囲Ｗ１ＪはゾーンＺＩ，ＺＪの境界に位置し、当該リーダＲ１Ｊはその境界の通過検出を行える。
【００３５】
子供・親Ｐが隣接する各ゾーンＺＡ〜ＺＪの境界を通過する場合には、上気したように、その子供・親Ｐが所持する子供・親用タグＴの無線タグ回路素子Ｔｏが、隣接する各ゾーンＺＡ〜ＺＪの境界に対応した各リーダＲ１Ａ〜Ｒ１Ｊの各通信範囲Ｗ１Ａ〜Ｗ１Ｊに入るようになっている。これにより、各リーダＲ１Ａ〜Ｒ１Ｊは、子供・親Ｐが隣接する各ゾーンＺＡ〜ＺＪの境界を通過するときに、当該子供・親Ｐの子供・親用タグＴから情報（被保護者情報や保護者情報等。後述）の読み取りを行うことができる。なお、以下適宜、リーダＲ１Ａ〜Ｒ１Ｊを総称して単に「リーダＲ１」のように称し、所定の通信範囲Ｗ１Ａ〜Ｗ１Ｊを総称して単に「所定の通信範囲Ｗ１」のように称する。また、所定のゾーンＺＡ〜ＺＪを総称して単に「所定のゾーンＺ」のように称する。
【００３６】
リーダライタＲＷは、この例では上記受付カウンタ１０内に設置されており、所定の通信範囲（図示せず）内の子供・親用タグＴの無線タグ回路素子Ｔｏに対し情報（第１タグＩＤや第２タグＩＤ等。後述）の読み取り・書き込みを行うことができる。
【００３７】
管理サーバ２０は、この例では上記受付カウンタ１０内に設置されている。そして、上記リーダＲ１により読み取られた情報に基づき、所定の情報処理（後述）を行ったり、上記リーダライタＲＷを介して、子供用タグＴ１及び親用タグＴ２の関連付けを行ったりする（詳細は後述する）。
【００３８】
図２は、本実施形態の被保護者管理システム１の機能的構成を表す機能ブロック図である。
【００３９】
図２において、被保護者管理システム１は、前述したように、子供用タグＴ１と、親用タグＴ２と、複数のリーダＲ１Ａ〜Ｒ１Ｊと、リーダライタＲＷと、これらリーダＲ１Ａ〜Ｒ１Ｊ及びリーダライタＲＷに適宜の通信ネットワークＮＷでそれぞれ接続された管理サーバ２０とを有している。
【００４０】
子供・親用タグＴ１,Ｔ２は、情報を記憶するＩＣ回路部１５０及び情報を送受信するタグアンテナ１５１を備えた無線タグ回路素子Ｔｏをそれぞれ有している。なお、子供用タグＴ１に係るＩＣ回路部１５０が第１ＩＣ回路部に相当し、子供用タグＴ１に係るタグアンテナ１５１が第１タグアンテナに相当する。また、親用タグＴ２に係るＩＣ回路部１５０が第２ＩＣ回路部に相当し、親用タグＴ２に係るタグアンテナ１５１が第２タグアンテナに相当する。
【００４１】
各リーダＲ１Ａ〜Ｒ１Ｊは、アンテナ１０１Ａ、高周波回路１０２Ａ、及びネットワーク通信制御部１０３Ａをそれぞれ有している。
【００４２】
アンテナ１０１Ａは、上記通信範囲Ｗ１内に位置する子供・親用タグＴ１,Ｔ２の無線タグ回路素子Ｔｏとの間で無線通信を行う。高周波回路１０２Ａは、上記アンテナ１０１Ａを介し上記無線タグ回路素子ＴｏのＩＣ回路部１５０へ無線通信によりアクセスするとともに、その無線タグ回路素子Ｔｏから読み出された信号を処理する。ネットワーク通信制御部１０３Ａは、上記通信ネットワークＮＷを介して上記管理サーバ２０との間で行われる通信の制御を行う。
【００４３】
リーダライタＲＷは、アンテナ５１、高周波回路５２、及びネットワーク通信制御部５３を有している。
【００４４】
アンテナ５１は、上記所定の通信範囲内に位置する子供・親用タグＴ１,Ｔ２の無線タグ回路素子Ｔｏとの間で無線通信を行う。高周波回路５２及びネットワーク通信制御部５３は、上記高周波回路１０２Ａ及びネットワーク通信制御部１０３Ａとそれぞれ同様の機能である。
【００４５】
管理サーバ２０は、ＣＰＵ（中央演算装置）２１と、メモリ２２と、操作部２３と、表示部２４と、大容量記憶装置２５と、ネットワーク通信制御部２６とを有している。
【００４６】
メモリ２２は、例えばＲＡＭやＲＯＭ等から構成される。ＣＰＵ２１は、ＲＡＭの一時記憶機能を利用しつつＲＯＭに予め記憶されたプログラムを実行し、各種処理を実行する。操作部２３には、操作者（例えば係員Ｓ）からの指示や情報が入力される。表示部２４は、各種情報やメッセージを表示する。大容量記憶装置２５は、ハードディスク装置からなり、各種情報を記憶するデータベースとして機能する。ネットワーク通信制御部２６は、上記通信ネットワークＮＷを介して上記各リーダＲ１Ａ〜Ｒ１Ｊ及びリーダライタＲＷとの間で行われる通信の制御を行う。
【００４７】
図３は、リーダＲ１及びリーダライタＲＷの高周波回路１０２Ａ，５２の詳細構成を表す機能ブロック図である。
【００４８】
図３において、高周波回路１０２Ａ，５２には、管理サーバ２０のＣＰＵ２１により生成される、上記子供・親用タグＴに備えられる無線タグ回路素子ＴｏのＩＣ回路部１５０から情報を読み出す（又はＩＣ回路部１５０へアクセスして所望の情報を書き込む）ための各種コマンドが、ネットワーク通信制御部２６、通信ネットワークＮＷ、及びネットワーク通信制御部１０３Ａ,５３を介して入力される。なお、煩雑防止のため図３では、ネットワーク通信制御部２６、通信ネットワークＮＷ、及びネットワーク通信制御部１０３Ａ,５３の図示を省略している。
【００４９】
高周波回路１０２Ａ，５２は、アンテナ１０１Ａ，５１を介し無線タグ回路素子Ｔｏに対して信号を送信する送信部１４２と、アンテナ１０１Ａ，５１により受信された無線タグ回路素子Ｔｏからの応答波を入力する受信部１４３と、送受分離器１４４とから構成される。
【００５０】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、管理サーバ２０のＣＰＵ２１の制御により水晶振動子１４５Ａの出力を分周／逓倍して所定周波数の搬送波を発生させるＰＬＬ（Ｐｈａｓｅ  Ｌｏｃｋｅｄ  Ｌｏｏｐ）１４５Ｂ及びＶＣＯ（Ｖｏｌｔａｇｅ  Ｃｏｎｔｒｏｌｌｅｄ  Ｏｓｃｉｌｌａｔｏｒ）１４５Ｃと、上記ＣＰＵ２１から供給される信号に基づいて上記発生させられた搬送波を変調（この例ではＣＰＵ２１からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例ではＣＰＵ２１からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記ゲイン制御送信アンプ１４７の出力は、送受分離器１４４を介しアンテナ１０１Ａ，５１に伝達されて無線タグ回路素子ＴｏのＩＣ回路部１５０に供給される。なお、質問波は上記のように変調した信号（変調波）に限られず、単なる搬送波のみの場合もある。
【００５１】
受信部１４３は、アンテナ１０１Ａ，５１で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記アンテナ１０１Ａ，５１で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記ＣＰＵ２１に入力されて処理される。
【００５２】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ）回路１７８にも入力され、それらの信号の強度を示す信号「ＲＳＳＩ」がＣＰＵ２１に入力される。これにより、管理サーバ２０では、無線タグ回路素子Ｔｏとの通信時における当該無線タグ回路素子Ｔｏからの信号の受信強度を検出することが可能となっている。
【００５３】
図４は、子供・親用タグＴに備えられる無線タグ回路素子Ｔｏの機能的構成を表す機能ブロック図である。
【００５４】
図４において、無線タグ回路素子Ｔｏは、上述したようにリーダＲ１及びリーダライタＲＷのアンテナ１０１Ａ，５１と非接触で信号の送受信を行う上記タグアンテナ１５１と、このタグアンテナ１５１に接続された上記ＩＣ回路部１５０とを有している。
【００５５】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための制御部１５７とを備えている。
【００５６】
変復調部１５６は、タグアンテナ１５１により受信されたリーダＲ１及びリーダライタＲＷのアンテナ１０１Ａ，５１からの質問波の復調を行い、また、上記制御部１５７からの返信信号を変調し、タグアンテナ１５１より応答波（後述のタグ識別情報を含む信号）として送信する。
【００５７】
クロック抽出部１５４は、受信した信号からクロック成分を抽出し、当該クロック成分の周波数に対応したクロックを制御部１５７に供給する。
【００５８】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５９】
図５は、管理サーバ２０によって関連付けが行われる前の、子供・親用タグＴの無線タグ回路素子ＴｏのＩＣ回路部１５０のメモリ部１５５の記憶内容を概念的に示す図である。図５（ａ）には、子供Ｐ１に所持される子供用タグＴ１に係る記憶内容を示し、図５（ｂ）には、親Ｐ２に所持される親用タグＴ２に係る記憶内容を示している。
【００６０】
図５（ａ）及び図５（ｂ）において、管理サーバ２０によって後述の関連付けが行われる前の、すなわち、子供・親Ｐ１，Ｐ２に所持される前の、子供・親用タグＴ１，Ｔ２の無線タグ回路素子Ｔｏのメモリ部１５５には、それぞれの無線タグ回路素子Ｔｏの固有のタグ識別情報であるタグＩＤが予め記憶されている。なお、図５（ａ）に示す子供用タグＴ１の無線タグ回路素子Ｔｏのメモリ部１５５に記憶されたタグＩＤが、第１タグ識別情報に相当し、図５（ｂ）に示す親用タグＴ２の無線タグ回路素子Ｔｏのメモリ部１５５に記憶されたタグＩＤが、第２タグ識別情報に相当する。以下適宜、第１タグ識別情報に相当するタグＩＤを「第１タグＩＤ」と称し、第２タグ識別情報に相当するタグＩＤを「第２タグＩＤ」と称する。
【００６１】
そして、子供・親Ｐ１，Ｐ２が水族館に入場する際には、前述したように、管理サーバ２０によって、子供Ｐ１に所持される子供用タグＴ１の第１タグＩＤと、その子供Ｐ１の親Ｐ２に所持される親用タグＴ２の第２タグＩＤとを互いに関連付ける。そして、上記第１タグＩＤ及び第２タグＩＤの関連付けが行われた後の、子供・親用タグＴ１，Ｔ２を、上記受付カウンタ１０で子供・親Ｐ１，Ｐ２にそれぞれ渡すようになっている。
【００６２】
図６は、管理サーバ２０によって関連付けが行われた後の、子供・親用タグＴの無線タグ回路素子ＴｏのＩＣ回路部１５０のメモリ部１５５の記憶内容の一例を概念的に示す図である。図６（ａ）には、子供Ｐ１に所持される子供用タグＴ１に係る記憶内容を示し、図６（ｂ）には、親Ｐ２に所持される親用タグＴ２に係る記憶内容を示している。
【００６３】
図６（ａ）に示すように、管理サーバ２０によって第１タグＩＤ及び第２タグＩＤの関連付けが行われた後の、子供Ｐ１に所持される子供用タグＴ１の無線タグ回路素子Ｔｏのメモリ部１５５には、上記第１タグＩＤ（上述のように予め記憶されている）と、当該第１タグＩＤに関連付けられた第２タグＩＤとが記憶されている。なお、ここでは、メモリ部１５５に予め記憶されているタグＩＤ（第１タグＩＤ又は第２タグＩＤ）と、当該タグＩＤに関連付けられたタグＩＤ（第２タグＩＤ又は第１タグＩＤ）を表す情報とを区別するため、関連付けられたタグＩＤに対し星印を付加して示している（以下同様）。
【００６４】
上記第１タグＩＤに関連付けられた第２タグＩＤは、上記リーダライタＲＷを介してメモリ部１５５に書き込まれた、当該子供用タグＴ１を所持する子供Ｐ１の親Ｐ２に所持される親用タグＴ２の第２タグＩＤを特定する情報である。
【００６５】
なお、図６に示す例では、子供Ｐ１に対し２人の親Ｐ２が同伴している場合、すなわち、子供用タグＴ１の第１タグＩＤと、２つの親用タグＴ２の第２タグＩＤとが互いに関連付けられている場合を示している。
【００６６】
一方、図６（ｂ）に示すように、管理サーバ２０によって上記関連付けが行われた後の、親Ｐ２に所持される親用タグＴ２の無線タグ回路素子Ｔｏのメモリ部１５５には、上記第２タグＩＤ（上述のように予め記憶されている）と、当該第２タグＩＤに関連付けられた第１タグＩＤとが記憶されている。
【００６７】
上記第２タグＩＤに関連付けられた第１タグＩＤは、上記リーダライタＲＷを介してメモリ部１５５に書き込まれた、当該親用タグＴ２を所持する親Ｐ２の子供Ｐ１に所持される子供用タグＴ１の第１タグＩＤを特定する情報である。
【００６８】
このように、管理サーバ２０によって、第１タグＩＤ及び第２タグＩＤ、言い換えれば、子供用タグＴ１及び親用タグＴ２の関連付けが行われた後は、上記第１タグＩＤが子供Ｐ１（すなわち被保護者）に関する被保護者情報とされ、当該第１タグＩＤ（＝被保護者情報）に関連付けられた第２タグＩＤが当該子供Ｐ１の親Ｐ２（すなわち保護者）に関する保護者情報とされる。
【００６９】
以上のような構成の本実施形態の最大の特徴は、特定のリーダＲ１の通信範囲Ｗ１を子供Ｐ１が通過したとき、対応する親Ｐ２が一緒に当該通信範囲Ｗ１を通過しなかった場合には、所定の報知を行うことである。以下、その詳細を順を追って説明する。
【００７０】
すなわち、本実施形態においては、リーダＲ１により、少なくとも１つの子供用タグＴ１から上記被保護者情報（第１タグＩＤ）が取得されたときに、当該子供用タグＴ１から被保護者情報を取得したリーダＲ１により、当該子供用タグＴ１に関連付けられた親用タグＴ２（以下適宜、単に「対応する親用タグＴ２」という）から保護者情報（第２タグＩＤ）が取得されなかった場合、対応する報知が行われるようになっている。上記対応する報知としては、例えば、上記対応する親用タグＴ２を所持する親Ｐ２の携帯電話（図示せず）に、「お子様が離れています」旨のテキストのメールを送信したり、当該親Ｐ２に予め警報機（図示せず）を渡しておき、その警報機により警報（アラーム）発報したりして行えばよい。又は、親Ｐ２ではなく上記係員Ｓや警備員（図示せず）が所持する警報機により警報発報して行ってもよい。
【００７１】
図７、図８、及び図９は、子供Ｐ１が上記所定のゾーンＺＡ〜ＺＪの境界を通過する際の種々の状態をそれぞれ表す概念的説明図である。これら図７、図８、及び図９では、１人の子供Ｐ１Ａ及びその子供Ｐ１Ａの２人の親（すなわち両親）Ｐ２Ａ，Ｐ２Ｂからなる家族を例にとって説明する。
【００７２】
図７、図８、及び図９において、前述したように、水族館に入場した子供Ｐ１Ａは子供用タグＴ１Ａを所持しており、親Ｐ２Ａは親用タグＴ１Ａを所持しており、親Ｐ２Ｂは親用タグＴ１Ｂを所持している。そして、それら子供タグＴ１Ａ及び各親タグＴ２Ａ，Ｔ２Ｂ、すなわち、子供タグＴ１の被保護者情報（第１タグＩＤ）、及び、各親タグＴ２の保護者情報（第２タグＩＤ）は、互いに関連付けられている。
【００７３】
そして、前述したように、この水族館には予め正規経路Ｘが定められており、子供・親Ｐ１Ａ，Ｐ２Ａ，Ｐ２Ｂは、各水槽ａ〜ｈ内の鑑賞対象物を鑑賞しつつ、上記正規経路Ｘに従って通路を移動し、上記各ゾーンＺＡ〜ＺＪをゾーンＺＡ→ゾーンＺＢ→・・・→ゾーンＺＨ→ゾーンＺＩ（ゾーンＺＪ）→出口という順番で通過する。
【００７４】
まず、図７には、子供Ｐ１Ａが２人の親Ｐ２Ａ，Ｐ２Ｂに同伴された状態で上記ゾーンＺＡとゾーンＺＢとの境界を通過する場合を示している。このとき、子供・親Ｐ１Ａ，Ｐ２Ａ，Ｐ２Ｂは、それぞれ上記ゾーンＺＡ，ＺＢの境界に設けられたリーダＲ１Ａの通信範囲Ｗ１Ａ内に位置している。したがって、この場合には、リーダＲ１Ａによって、子供Ｐ１Ａの子供用タグＴ１Ａから被保護者情報としての第１タグＩＤ（図６（ａ）参照）が読み取られる。またこれとともに、上記第１タグＩＤに関連付けられた保護者情報としての第２タグＩＤ（以下適宜、単に「対応する第２タグＩＤ」という。図６（ｂ）参照）も、親Ｐ２Ａ，Ｐ２Ｂの親用タグＴ２Ａ，Ｔ２Ｂから読み取られることとなる。
【００７５】
この図７に示す例では、リーダＲ１Ａにより、子供用タグＴ１Ａから第１タグＩＤが取得されたときに、当該リーダＲ１Ａにより、対応する２つの親用タグＴ２Ａ，Ｔ２Ｂから対応する第２タグＩＤが取得されているので、上記報知は行われない。
【００７６】
図８には、子供Ｐ１Ａが１人の（片方の）親Ｐ２Ａに同伴された状態で上記ゾーンＺＢ，ＺＣの境界を通過する場合を示している。このとき、子供・親Ｐ１Ａ，Ｐ２Ａは、それぞれ上記ゾーンＺＢ，ＺＣの境界に設けられたリーダＲ１Ｂの通信範囲Ｗ１Ｂ内に位置している。したがって、この場合には、リーダＲ１Ｂによって、子供Ｐ１Ａの子供用タグＴ１Ａから第１タグＩＤが読み取られるとともに、親Ｐ２Ａの親用タグＴ２Ａから対応する第２タグＩＤが読み取られる。なお、親Ｐ２Ｂの親用タグＴ２Ｂからは、対応する第２タグＩＤは読み取られない。
【００７７】
すなわち、この図８に示す例では、リーダＲ１Ｂにより子供用タグＴ１Ａから第１タグＩＤが取得されたときに、親用タグＴ２Ａから対応する第２タグＩＤも併せて取得されているので、上記報知は行われない。
【００７８】
一方、図９は、子供Ｐ１ＡがゾーンＺＨ，ＺＩの境界を単独で（いずれの親Ｐ２Ａ，Ｐ２Ｂにも同伴されない状態で）通過する場合を示している。このとき、子供Ｐ１Ａのみが、上記ゾーンＺＨ，ＺＩの境界に設けられたリーダＲ１Ｈの通信範囲Ｗ１Ｈ内に位置している。したがって、この場合には、リーダＲ１Ｈによって、子供Ｐ１Ａの子供用タグＴ１Ａから第１タグＩＤが読み取られるのに対し、親Ｐ２Ａ，Ｐ２Ｂの親用タグＴ２Ａ，Ｔ２Ｂからは、上対応する第２タグＩＤは読み取られない。
【００７９】
すなわち、この図９に示す例では、リーダＲ１Ｈにより、子供用タグＴ１Ａから第１タグＩＤが取得されたときに、当該リーダＲ１Ｈにより、いずれの親用タグＴ２Ａ，Ｔ２Ｂからも対応する第２タグＩＤが取得されていないので、上記報知が、この例では親Ｐ２Ｂに対して行われる。
【００８０】
図１０は、管理サーバ２０のＣＰＵ２１によって実行される、子供Ｐ１に所持される子供用タグＴ１の第１タグＩＤと、その子供Ｐ１の親Ｐ２に所持される親用タグＴ２の第２タグＩＤとの関連付けに関する制御内容を表すフローチャートである。
【００８１】
図１０において、例えば管理サーバ２０の電源がオンにされることによって、このフローが開始される（「ＳＴＡＲＴ」位置）。
【００８２】
まずステップＳ１０で、ＣＰＵ２１は、リーダライタＲＷを介して、子供・親用タグＴの無線タグ回路素子Ｔｏから情報の読み取りを行う。具体的には、ＣＰＵ２１は、ネットワーク通信制御部２６、通信ネットワークＮＷ、ネットワーク通信制御部５３、高周波回路５２、及びアンテナ５１を介し、リーダライタＲＷに係る所定の通信範囲内に存在する子供・親用タグＴの無線タグ回路素子Ｔｏに対して、情報を取得する（読み取る）ためのタグ読み取り信号を送信する。
【００８３】
そして、ステップＳ２０で、ＣＰＵ２１は、上記ステップＳ１０で送信したタグ読み取り信号に対応して、リーダライタＲＷに係る上記通信範囲内に存在する子供・親用タグＴの無線タグ回路素子Ｔｏから返信された応答（リプライ）信号を、アンテナ５１、高周波回路５２、ネットワーク通信制御部５３、通信ネットワークＮＷ、及びネットワーク通信制御部２６を介して受信したか否かを判定する。応答信号を受信しない場合には、判定が満たされず上記ステップＳ１０に戻り、再び上記タグ読み取り信号の送信を繰り返す（リトライ）。応答信号を受信した場合には、判定が満たされてステップＳ３０に移る。
【００８４】
ステップＳ３０では、ＣＰＵ２１は、上記ステップＳ２０で受信した応答信号より、子供・親用タグＴの無線タグ回路素子ＴｏのＩＣ回路部１５０に記憶されたタグＩＤを抽出して取得する。
【００８５】
その後、ステップＳ４０で、ＣＰＵ２１は、上記ステップＳ３０の情報取得結果に基づき、子供用タグＴ１から第１タグＩＤを取得し、かつ、親用タグＴ２から第２タグＩＤを取得したか否かを判定する。子供用タグＴ１と親用タグＴ２との両方から第１タグＩＤ及び第２タグＩＤを取得できなかった場合（第１タグＩＤ又は第２タグＩＤの一方のみを取得したか、両方を取得できなかった場合）には、判定が満たされず、このフローを終了する。一方、子供用タグＴ１から第１タグＩＤを取得し、かつ、親用タグＴ２から第２タグＩＤを取得した場合には、判定が満たされてステップＳ５０に移る。
【００８６】
ステップＳ５０では、ＣＰＵ２１は、上記ステップＳ３０で取得された、子供用タグＴ１に係る第１タグＩＤと、親用タグＴ２に係る第２タグＩＤとを互いに関連付ける（関連付け処理手段としての機能）。具体的には、ＣＰＵ２１は、ネットワーク通信制御部２６、通信ネットワークＮＷ、ネットワーク通信制御部５３、高周波回路５２、及びアンテナ５１を介し、リーダライタＲＷに係る上記通信範囲内に存在する子供用タグＴ１の無線タグ回路素子Ｔｏに対して、情報を書き込むためのタグ書き込み信号を送信し、上記ステップＳ３０で取得された第２タグＩＤ（図６（ａ）参照）を書き込む。これとともに、ＣＰＵ２１は、ネットワーク通信制御部２６、通信ネットワークＮＷ、ネットワーク通信制御部５３、高周波回路５２、及びアンテナ５１を介し、リーダライタＲＷに係る上記通信範囲内に存在する親用タグＴ２の無線タグ回路素子Ｔｏに対して、上記タグ書き込み信号を送信し、上記ステップＳ３０で取得された第１タグＩＤ（図６（ｂ）参照）を書き込む。このようにすることで、子供用タグＴ１の無線タグ回路素子Ｔｏに予め記憶された第１タグＩＤと、親用タグＴ２の無線タグ回路素子Ｔｏに予め記憶された第２タグＩＤとを関連付ける。そして、このフローを終了する。
【００８７】
なお、このように子供用タグＴ１及び親用タグＴ２で互いに相手方となるタグＴのタグＩＤを書き込むのに限られない。すなわち、単に、第１タグＩＤと第２タグＩＤとを対応付けて、大容量記憶装置２５の親子データベース（図示省略）に記録するようにしてもよい（関連付け処理手段としての機能）。
【００８８】
対応付けの仕方としては、親子データベースに含まれるテーブルの同一の欄に第１タグＩＤと第２タグＩＤとを横並びで記載したり、第１タグＩＤ及び第２タグＩＤに共通の親子識別子（フラグ）を別途付記して記載してもよい。このときの第１タグＩＤ及び第２タグＩＤとしては、各タグＴの製造時に予め付されているタグＩＤを用いることもできる。この場合、それぞれ固有のタグＩＤを記憶させた同一仕様の複数のタグＴを利用しつつ、サーバ２００側によるタグＩＤの管理のみによって、第１タグＩＤや第２タグＩＤとして使用することができる。また、第１タグＩＤ及び第２タグＩＤとして、上記のような製造時のタグＩＤに代えて（あるいは製造時のタグＩＤに加えて）、管理サーバ２０側で新たに生成したタグＩＤを用いるようにしてもよい。この場合、サーバ２０側で新たに生成したタグＩＤを、前述の受付カウンタ１０でのタグＴの配布時又は配布より前にタグＴに書き込むようにすればよい。これらの場合、配布前に子供用タグＴ１及び親用タグＴ２にそれぞれ記憶されているタグＩＤを、配布後に事後的にサーバ２００で関連付けることで、第１タグＩＤ及び第２タグＩＤとして対応付けることができる。あるいは、サーバ２０側で親子用として事前に生成したタグＩＤを、前述の受付カウンタ１０でのタグＴの配布時又は配布より前にタグＴに書き込むようにしてもよい。
【００８９】
以上の場合、リーダＲ１の通信範囲Ｗ１に位置する子供用タグＴ１から第１タグＩＤを取得すると、上記親子データベースにアクセスが行われ、当該第１タグＩＤに対応する第２タグＩＤが検索されて取得される。そして、通信範囲Ｗ１に位置する親用タグＴ２から、上記検索により取得された第２タグＩＤと同じ第２タグＩＤが取得されたかどうかを照合する。これにより、子供Ｐ１と親Ｐ２とが特定のリーダＲ１の通信範囲Ｗ１を一緒に通過したかどうかを検出することができる。
【００９０】
図１１は、上記図１０のフローと並行して、管理サーバ２０のＣＰＵ２１によって実行される、隣接するゾーンＺＡ〜ＺＪどうしの境界の通過検出、及び、報知に関する制御内容を表すフローチャートである。なお、これら図１０及び図１１の２つのフローは、例えばコンピュータのＯＳ等でしばしば行われる「マルチタスク処理」と同様の公知の手法により、管理サーバ２０のＣＰＵ２１によって同時並行処理されるようになっている。
【００９１】
図１１において、例えば管理サーバ２０の電源がオンにされることによって、このフローが開始される（「ＳＴＡＲＴ」位置）。
【００９２】
まずステップＳ１００で、ＣＰＵ２１は、各リーダＲ１Ａ〜Ｒ１Ｊを介して、上記各通信範囲Ｗ１Ａ〜Ｗ１Ｊ内に位置する子供・親用タグＴの無線タグ回路素子Ｔｏから情報の読み取りを行う。具体的には、ＣＰＵ２１は、ネットワーク通信制御部２６、通信ネットワークＮＷ、各ネットワーク通信制御部１０３Ａ、各高周波回路１０２Ａ、及び各アンテナ１０１Ａを介し、上記各通信範囲Ｗ１Ａ〜Ｗ１Ｊ内に位置する子供・親用タグＴの無線タグ回路素子Ｔｏに対して、上記タグ読み取り信号を送信する。
【００９３】
その後、ステップＳ１１０で、ＣＰＵ２１は、上記ステップＳ１００で送信したタグ読み取り信号に対応して、子供・親用タグＴの無線タグ回路素子Ｔｏから返信された応答信号を、各アンテナ１０１Ａ、各高周波回路１０２Ａ、各ネットワーク通信制御部１０３Ａ、通信ネットワークＮＷ、及びネットワーク通信制御部２６を介して受信したか否かを判定する。応答信号を受信しない場合には、判定が満たされず上記ステップＳ１００に戻り、再び上記タグ読み取り信号の送信を繰り返す（リトライ）。応答信号を受信した場合には、判定が満たされてステップＳ１２０に移る。
【００９４】
ステップＳ１２０では、ＣＰＵ２１は、上記ステップＳ１１０で受信した応答信号より、子供・親用タグＴの無線タグ回路素子ＴｏのＩＣ回路部１５０に記憶された情報を抽出して取得する。
【００９５】
そして、ステップＳ１３０で、ＣＰＵ２１は、上記ステップＳ１２０の情報取得結果に基づき、少なくとも１つの子供用タグＴ１から第１タグＩＤを取得したか否かを判定する。子供用タグＴ１から第１タグＩＤを取得していない場合には、判定が満たされず、このフローを終了する。一方、少なくもとも１つの子供用タグＴ１から第１タグＩＤを取得した場合には、判定が満たされてステップＳ１４０に移る。
【００９６】
ステップＳ１４０では、ＣＰＵ２１は、上記ステップＳ１２０の情報取得結果に基づき、上記子供用タグＴ１から第１タグＩＤを取得したリーダＲ１を介して、親用タグＴ２から上記第１タグＩＤに対応する（前述のようにして親子として予め関連付けられている）第２タグＩＤが取得されたか否かを判定する。親用タグＴ２から対応する第２タグＩＤが取得された場合（図７及び図８に示した場合）には判定が満たされ、報知を行わずにこのフローを終了する。一方、親用タグＴ２から対応する第２タグＩＤが取得されなかった場合（図９に示した場合）には、判定が満たされずステップＳ１５０に移る。
【００９７】
ステップＳ１５０では、ＣＰＵ２１は、対応する報知（例えば「お子様が離れています」旨のテキストのメール送信、警報機による警報発報など）を行うための報知信号を生成する。そして、ＣＰＵ２１は、予め定められた報知先（例えば、上記対応する親用タグＴ２を所持する親Ｐ２の携帯電話、当該親Ｐ２に係る警報機、係員Ｓ等に係る警報機など）に、上記生成した報知信号を出力し、上記対応する報知を行わせる。なお、上記対応する報知を行うための報知信号を生成し出力する処理が、被保護者の保護状態を維持するための所定の情報処理に相当する。また、このステップＳ１５０が、各請求項記載の情報処理手段として機能するとともに、報知信号生成手段としても機能する。
【００９８】
以上説明したように、本実施形態の被保護者管理システム１においては、子供Ｐ１が、ＩＣ回路部１５０に第１タグＩＤが記憶された子供用タグＴ１を所持しており、子供Ｐ１を保護する親Ｐ２が、ＩＣ回路部１５０に第２タグＩＤが記憶された親用タグＴ２を所持している。各リーダＲ１Ａ〜Ｒ１Ｊは各通信範囲Ｗ１Ａ〜Ｗ１Ｊを形成して無線通信を行い、子供用タグＴ１から第１タグＩＤを取得するとともに、親用タグＴ２から第２タグＩＤを取得する。そして、特定のリーダＲ１が子供用タグＴ１から第１タグＩＤを取得したときには、対応する親用タグＴ２から第２タグＩＤの取得を図る。このとき、リーダＲ１により子供用タグＴ１から第１タグＩＤが取得されたにも係わらず、リーダＲ１が当該第１タグＩＤに対応する第２タグＩＤを取得しなかった場合（図９で示したように親が同伴していなかった場合）は、対応する報知を行うための報知信号を生成し出力する。これにより、子供用タグＴ１を所持する子供Ｐ１の近傍に、対応する親用タグＴ２を所持する親Ｐ２が存在しない状態を確実に検出し、対応する報知を例えば係員Ｓや親Ｐ２に対して行う。これにより、構成を複雑化することなく簡易な構成で、親Ｐ２による子供Ｐ１に対する保護状態が損なわれないようにすることができる。具体的には、子供Ｐ１が親Ｐ２から長時間はぐれた状態となるのを防止し、セキュリティーや防犯性を向上することができる。また、上記のようにして、子供Ｐ１が単独で当該ゾーンＺＡ〜ＺＪから出ないように管理できるとともに、子供Ｐ１単独での通過検出時には、その検出結果から、直前まで子供Ｐ１がどこにいたのかを（どこのリーダＲ１の通信範囲Ｚ１に存在していたかにより）推定できる効果もある。
【００９９】
なお、上記第１実施形態は、上述した態様に限られるものではなく、その趣旨及び技術的思想を逸脱しない範囲内で種々の変形が可能である。以下、そのような変形例を順を追って説明する。
【０１００】
（１）特定のゾーンの境界については、一部の子供単独でも通過可能とする場合
上記実施形態では、隣接するゾーンＺＡ〜ＺＪの境界を子供Ｐ１単独で通過することを禁止していた（通過した場合には親Ｐ２等に報知していた）が、これに限られない。すなわち、上記各ゾーンＺＡ〜ＺＪのうち特定のゾーンＺの境界については、一部の子供Ｐ１（例えば小学生以上の子供）単独でも通過可能としてもよい。
【０１０１】
図１２は、本変形例における被保護者管理システムの全体構成を概略的に示す説明図であり、前述の図１に対応する図である。図１と同等の部分には同一の符号を付し、適宜説明を省略又は簡略化する。なお、図１２では、一例として１人の子供Ｐ１Ｂ及びその子供Ｐ１Ｂの２人の親（すなわち両親）Ｐ２Ａ，Ｐ２Ｂからなる家族が上記の水族館に入場した例を示している。
【０１０２】
図１２において、本変形例では、水族館の通路のゾーンＺＪに、トイレＬを設けている。また、本変形例の被保護者管理システム１は、子供Ｐ１に所持される子供用タグＴ１（図示の例では、図１で示した子供Ｐ１Ａと異なる子供Ｐ１Ｂに所持される子供用タグＴ１Ｂを示す）に係るＩＣ回路部１５０のメモリ部１５５に、（図６（ａ）に示した記憶内容に加え）新たに保護者代理情報が記憶されている。
【０１０３】
保護者代理情報は、特定のゾーンＺ（この例ではトイレＬへ向かうためのゾーンＺＪ）へ向かうための特定の境界（この例ではゾーンＺＩ，ＺＪの境界）を、単独で（親Ｐ２に同伴されることなく）通過可能とするための情報である。すなわち、この例では、リーダＲＪが、上記ゾーンＺＩ，ＺＪの境界に位置する通信範囲Ｗ１Ｊにおいて、子供Ｐ１の単独通過を検出した場合であっても、その子供Ｐ１が所持する子供用タグＴ１に係るＩＣ回路部１５０に上記保護者代理情報が記憶されていれば、親用タグＴ２からの第２タグＩＤの取得の有無に関わらず、前述の報知は行われない（第２タグＩＤと同等に機能可能）のである。なお、保護者代理情報は、上記のように、特定の境界（１つでもよいし、複数でもよい）を指定する形で子供用タグＴ１に記憶される。
【０１０４】
図１３は、子供Ｐ１Ｂが単独で上記特定のゾーンＺＪの境界を通過する際の状態を表す概念的説明図であり、前述の図７等に対応する図である。
【０１０５】
図１３において、上記保護者代理情報が記憶された子供用タグＴ１Ｂを所持する（例えば小学生以上の）子供Ｐ１Ｂが、トイレＬに向かうために上記特定のゾーンＺＪの境界を単独で（いずれの親Ｐ２Ａ，Ｐ２Ｂにも同伴されない状態で）通過している。このとき、子供Ｐ１Ｂのみが、上記特定のゾーンＺＪとゾーンＺＩとの境界に設けられたリーダＲ１Ｊの通信範囲Ｗ１Ｊ内に位置している。したがって、この場合には、リーダＲ１Ｊによって、子供Ｐ１Ｂの子供用タグＴ１Ｂから第１タグＩＤ及び保護者代理情報が読み取られる。親Ｐ２Ａ，Ｐ２Ｂの親用タグＴ２Ａ，Ｔ２Ｂからは、対応する第２タグＩＤは読み取られない。
【０１０６】
すなわち、この図１３に示す例では、上記リーダＲ１Ｊにより、子供用タグＴ１Ｂから第１タグＩＤが取得されたときに、当該リーダＲ１Ｊにより、いずれの親用タグＴ２Ａ，Ｔ２Ｂからも対応する第２タグＩＤが取得されない。しかしながら、当該リーダＲ１Ｊにより、上記子供用タグＴ１Ｂから保護者代理情報が取得されるので、前述の報知は行われない。
【０１０７】
図１４は、本変形例において、前述の図１０のフローと並行して、管理サーバ２０のＣＰＵ２１によって実行される、上記隣接するゾーンＺＡ〜ＺＪの境界の通過検出、及び、報知に関する制御内容を表すフローチャートであり、前述の図１１に対応する図である。図１１と同等の手順には同符号を付し説明を省略する。
【０１０８】
図１４において、前述の図１１と異なる点は、ステップＳ１４０及びステップＳ１５０の間に、ステップＳ１４２を新たに設けた点である。
【０１０９】
すなわち、ステップＳ１００〜ステップＳ１４０は、前述の図１１と同様であり、ステップＳ１４０において、第１タグＩＤを取得したリーダＲ１を介して、対応する第２タグＩＤが取得されたか否かを判定し、対応する第２タグＩＤが取得されなかった場合には、ステップＳ１４０の判定が満たされず、新たに設けたステップＳ１４２に移る。
【０１１０】
ステップＳ１４２では、ＣＰＵ２１は、前述のステップＳ１２０の情報取得結果に基づき、子供用タグＴ１から第１タグＩＤを取得したリーダＲ１を介して、当該子供用タグＴ１から、（上記リーダＲ１の通信範囲Ｗ１に対応した境界を特定した）保護者代理情報が取得されたか否かを判定する。上記保護者代理情報が取得された場合、すなわち、子供Ｐ１が上記特定の境界を単独で通過可能な子供Ｐ１であった場合には、判定が満たされて、報知を行わずにこのフローを終了する。一方、上記保護者代理情報が取得されなかった場合、すなわち、子供Ｐ１が上記特定の境界を単独で通過可能な子供Ｐ１でなかった場合には、判定が満たされず、ステップＳ１５０に移る。
【０１１１】
ステップＳ１５０は、前述の図１１と同様であるので、説明を省略する。
【０１１２】
本変形例によれば、保護者代理情報を記憶した子供用タグＴ１を所持した一部の子供Ｐ１（上記の例は子供Ｐ１Ｂ）については、通常は子供Ｐ１単独での通過が禁止される境界（上記の例ではゾーンＺＩ，ＺＪの境界）についても、例外的に単独で通過可能とすることができる。この結果、さらにきめの細かい管理が可能となり、さらにユーザの利便性が向上する。上記はトイレへ向かうときに通過するゾーン境界の例で説明したが、そのほか、子供単独で行動しても危険がない又は少ないような場所（例えばキッズ広場等）へ向かう際にも同様に適用可能である。
【０１１３】
（２）係員が親を代理する場合
上記第１実施形態では、上記隣接するゾーンＺＡ〜ＺＪの境界を子供Ｐ１が通過するときには、少なくとも１人の親Ｐ２が同伴することを必要としていたが、これに限られない。すなわち、親Ｐ２が同伴していなくても、上記保護者情報と実質的に同一の情報が記憶された係員用タグを所持する係員Ｓが（親Ｐ２の代わりに）同伴していれば、上記隣接する各ゾーンＺＡ〜ＺＪの境界を通過可能としてもよい。
【０１１４】
図１５は、本変形例における被保護者管理システムの全体構成を概略的に示す説明図であり、前述の図１に対応する図である。図１と同等の部分には同一の符号を付し、適宜説明を省略又は簡略化する。
【０１１５】
図１５において、本変形例の被保護者管理システム１は、係員Ｓに所持される係員用タグＴＳ（第３無線タグ）を有している。上記以外の構成は上記実施形態の被保護者管理システム１と同様であるので、説明を省略する。
【０１１６】
係員用タグＴＳの構成は、前述の子供・親用タグＴ１，Ｔ２と同様であり、情報を記憶するＩＣ回路部１５０及び情報を送受信するタグアンテナ１５１を備えた無線タグ回路素子Ｔｏを有している（無線タグ回路素子Ｔｏの詳細の機能的構成は前述の図４と同様）。なお、係員用タグＴＳに係るＩＣ回路部１５０が第３ＩＣ回路部に相当し、係員用タグＴＳに係るタグアンテナ１５１が第３タグアンテナに相当する。
【０１１７】
係員用タグＴＳに係るＩＣ回路部１５０には、親用タグＰ２に係るＩＣ回路部１５０に記憶された第２タグＩＤと実質的に同一の情報が記憶されている。以下適宜、親用タグＰ２に係るＩＣ回路部１５０に記憶された第２タグＩＤと実質的に同一の情報を、単に「第２タグＩＤと実質的に同一の情報」と称する。この第２タグＩＤと実質的に同一の情報とは、上記隣接する各ゾーンＺＡ〜ＺＪの境界を、係員用タグＴＳを所持した係員Ｓが子供Ｐ１に同伴することで、（親Ｐが同伴しなくても）通過可能とするための情報である。すなわち、リーダＲ１により、子供用タグＴ１から第１タグＩＤが取得されたときに、当該リーダＲ１により、対応する親用タグＴ２から第２タグＩＤが取得されなかった場合であっても、当該リーダＲ１により、係員用タグＴＳから上記第２タグＩＤと実質的に同一の情報が取得されていれば、前述の報知は行われないようになっている。
【０１１８】
なお、この「実質的に同一の情報」は、上記（１）の変形例と異なり境界を特定しない（どの境界の通過時にも有効）情報であるが、上記（１）の変形例と同様、少なくとも１つの境界を特定する態様としてもよい。
【０１１９】
図１６は、子供Ｐ１Ａが係員Ｓに同伴された状態で上記ゾーンＺI，ＺＪの境界を通過する際の状態を表す概念的説明図であり、前述の図７等に対応する図である。
【０１２０】
図１６において、子供Ｐ１Ａが、ゾーンＺＩとゾーンＺＪとの境界を、２人の親Ｐ２Ａ，Ｐ２Ｂの代わりに、上記第２タグＩＤと実質的に同一の情報が記憶された係員用タグＴＳを所持する係員Ｓに同伴された状態で通過している。このとき、子供Ｐ１Ａ及び係員Ｓは、それぞれ上記ゾーンＺＪに設けられたリーダＲ１Ｊの通信範囲Ｗ１Ｊ内に位置している。したがって、この場合には、リーダＲ１Ｊによって、子供Ｐ１Ａの子供用タグＴ１Ａから第１タグＩＤが読み取られるとともに、係員Ｓの係員用タグＴＳから上記第２タグＩＤと実質的に同一の情報を含む情報が読み取られる。親Ｐ２Ａ，Ｐ２Ｂの親用タグＴ２Ａ，Ｔ２Ｂからは、対応する第２タグＩＤは読み取られない。しかしながら、当該リーダＲ１Ｊにより、係員用タグＴＳから上記第２タグＩＤと実質的に同一の情報が取得されているので、前述の報知は行われない。
【０１２１】
ここで、本変形例において、管理サーバ２０のＣＰＵ２１によって実行される、子供Ｐ１に所持される子供用タグＴ１の第１タグＩＤと、その子供Ｐ１の親Ｐ２に所持される親用タグＴ２の第２タグＩＤとの関連付けに関する制御内容は、前述の図１０と同等である。
【０１２２】
また、本変形例において、管理サーバ２０のＣＰＵ２１によって実行される、隣接するゾーンＺＡ〜ＺＪの境界の通過検出、及び、報知に関する制御内容は、前述の図１１とほぼ同様のもので足りる。
【０１２３】
但し、ステップＳ１４０では、ＣＰＵ２１は、前述のステップＳ１２０の情報取得結果に基づき、子供用タグＴ１から第１タグＩＤを取得したリーダＲ１を介して、対応する親用タグＴ２から第２タグＩＤ、又は、係員用タグＴＳから上記第２タグＩＤと実質的に同一の情報が取得されたか否かを判定する。上記リーダＲ１を介して、対応する親用タグＴ２から第２タグＩＤ、又は、係員用タグＴＳから上記第２タグＩＤと実質的に同一の情報が取得された場合には、判定が満たされて、（報知を行わずに）フローを終了する。一方、上記リーダＲ１を介して、対応する親用タグＴ２から第２タグＩＤ、又は、係員用タグＴＳから上記第２タグＩＤと実質的に同一の情報が取得されなかった場合には、判定が満たされずステップＳ１５０に移り、対応する報知を行わせる。
【０１２４】
本変形例によれば、特定の親用タグＴ２に記憶された第２タグＩＤと実質的に同一の情報を記憶した係員用タグＴＳを係員Ｓが所持することで、親Ｐ２と同等の権限を有する者として、親Ｐ２を代理して子供Ｐ１を保護管理することができる。また、子供Ｐ１単独での通過が禁止される隣接ゾーンの境界についても、係員用タグＴＳを所持した係員Ｓが同伴することで通過可能となる。
【０１２５】
（３）子供が所定のゾーンの境界を単独で通過したら、その子供をカメラにより撮影し報知する場合
すなわち、隣接する上記ゾーンＺＡ〜ＺＪの境界を子供Ｐ１が単独で通過した場合には、その子供Ｐ１を監視カメラにより撮影し、その撮影された映像を含む態様で、対応する報知を行うようにしてもよい。
【０１２６】
図１７は、本変形例における被保護者管理システムの全体構成を概略的に示す説明図であり、前述の図１に対応する図である。図１と同等の部分には同一の符号を付し、適宜説明を省略又は簡略化する。
【０１２７】
図１７において、本変形例の被保護者管理システム１は、上記子供・親用タグＴ１，Ｔ２を所持する子供・親Ｐ１，Ｐ２（特に子供用タグＴ１を所持する子供Ｐ１）を撮影するための、複数の監視カメラＣＡＡ〜ＣＡＪ（撮像手段）を有している。
【０１２８】
各監視カメラＣＡＡ〜ＣＡＪは、上記隣接するゾーンＺＡ〜ＺＪの各境界を単独で（親Ｐ２に同伴されることなく）通過する子供Ｐ１を撮影できる位置にそれぞれ配置されている。なお、以下適宜、監視カメラＣＡＡ〜ＣＡＪを総称して単に「監視カメラＣＡ」のように称する。また、図示は省略するが、各監視カメラＣＡＡ〜ＣＡＪは、それぞれ通信ネットワークＮＷ及び管理サーバ２０のネットワーク通信制御部２６を介して、管理サーバ２０のＣＰＵ２１に接続されている。
【０１２９】
上記以外の構成は上記実施形態の被保護者管理システム１と同様であるので、説明を省略する。
【０１３０】
本変形例においては、リーダＲ１により、少なくとも１つの子供用タグＴ１から第１タグＩＤが取得されたときに、当該リーダＲ１により、対応する親用タグＴ２から第２タグＩＤが取得されなかった場合、特定の監視カメラＣＡ（上記子供用タグＴ１を所持する子供Ｐ１が通過したゾーンＺを撮影可能な監視カメラＣＡ。例えば当該ゾーンＺに設けられた監視カメラＣＡ）により、当該子供用タグＴ１を所持する子供Ｐ１を含む画像の撮影が行われる。そして、その撮影された映像（ゾーン境界を単独で通過した子供Ｐ１の外見を含む映像）を含むような態様で報知が行われるようになっている（例えば、上記映像を添付したメールが親Ｐ２等に送信される）。
【０１３１】
なお、上記（２）の変形例のように係員Ｓが係員用タグＴＳを所持している場合には、リーダＲ１により対応する親用タグＴ２又は係員用タグＴＳから第２タグＩＤ又はこれと実質的に同一の情報が取得されなかった場合に、特定の監視カメラＣＡにより、当該子供用タグＴ１を所持する子供Ｐ１を含む画像の撮影を行うようにしてもよい。
【０１３２】
図１８は、子供Ｐ１Ａが単独でゾーンＺＨとゾーンＺＩとの境界を通過する際の状態を表す概念的説明図であり、前述の図７等に対応する図である。
【０１３３】
図１８において、子供Ｐ１ＡがゾーンＺＨ，ＺＩの境界を単独で（いずれの親Ｐ２Ａ，Ｐ２Ｂにも同伴されない状態で）通過している。このとき、子供Ｐ１Ａのみが、上記ゾーンＺＨに設けられたリーダＲ１Ｈの通信範囲Ｗ１Ｈ内に位置し、子供Ｐ１Ａの子供用タグＴ１Ａから第１タグＩＤが読み取られる。この第１タグＩＤの取得時に、当該リーダＲ１Ｈにより、対応するいずれの親用タグＴ２Ａ，Ｔ２Ｂからも第２タグＩＤが取得されない。このため、上記ゾーンＺＨに設けられた監視カメラＣＡＨにより、当該子供用タグＴ１Ａを所持する子供Ｐ１Ａの撮影が行われ、その撮影された子供Ｐ１Ａの外見映像を含むような態様で、上記報知が、この例では親Ｐ２Ｂに対して行われる。
【０１３４】
図１９は、本変形例において、前述の図１０のフローと並行して、管理サーバ２０のＣＰＵ２１によって実行される、上記隣接するゾーンＺＡ〜ＺＪの境界の通過検出、及び、報知に関する制御内容を表すフローチャートであり、前述の図１１及び図１４に対応する図である。図１１と同等の手順には同符号を付し説明を省略する。
【０１３５】
図１９において、前述の図１１と異なる点は、ステップＳ１５０に代えてステップＳ１５０′を設け、ステップＳ１４０と上記ステップＳ１５０′との間に、ステップＳ１４６を新たに設けた点である。
【０１３６】
すなわち、ステップＳ１００〜ステップＳ１４０は、前述の図１１と同様であり、ステップＳ１４０において、子供用タグＴ１から第１タグＩＤを取得したリーダＲ１を介して、対応する親用タグＴ２（又は係員用タグＴＳでもよい）から第２タグＩＤ（又はこれと実質的に同一の情報でもよい）が取得されたか否かを判定し、対応する親用タグＴ２（又は係員用タグＴＳ）から第２タグＩＤ（又はこれと実質的に同一の情報）が取得されなかった場合には、ステップＳ１４０の判定が満たされず、新たに設けたステップＳ１４６に移る。
【０１３７】
ステップＳ１４６では、ＣＰＵ２１は、ネットワーク通信制御部２６及び通信ネットワークＮＷを介して、上記子供用タグＴ１を所持する子供Ｐ１が通過したゾーン境界を撮影可能な（＝当該境界に設けられた）監視カメラＣＡに制御信号を出力し、当該子供Ｐ１の撮影を行わせる。そして、ＣＰＵ２１は、上記監視カメラＣＡによる撮影結果、すなわち、上記子供Ｐ１の外見映像を、通信ネットワークＮＷ及びネットワーク通信制御部２６を介して取得する。
【０１３８】
その後、ステップＳ１５０に代えて設けたステップＳ１５０′で、ＣＰＵ２１は、対応する報知、すなわち、上記ステップＳ１４６で取得された子供Ｐ１の外見映像含むような態様の報知を行うための報知信号を生成する。そして、ＣＰＵ２１は、予め定められた報知先に、上記生成した報知信号を出力し、上記対応する報知を行わせる。なお、上記対応する報知を行うための報知信号を生成し出力する処理が、所定の情報処理に相当する。また、このステップＳ１５０′が、各請求項記載の情報処理手段として機能するとともに、報知信号生成手段として機能する。
【０１３９】
本変形例によれば、リーダＲ１により、少なくとも１つの子供用タグＴ１から第１タグＩＤが取得されるとともに、対応する親用タグＴ２（又は係員タグＴＳ）から第２タグＩＤ（又は第２タグＩＤと実質的に同一の情報）が取得されなかった場合に、監視カメラＣＡで当該子供用タグＴ１を所持する子供Ｐ１を撮影する。これにより、子供用タグＴ１を所持する子供Ｐ１が単独で上記隣接するゾーンＺの境界を通過した場合に、その通過した子供Ｐ１の外見映像を、上記監視カメラＣＡを介して取得することができる。この結果、親Ｐ２は、自らの保護対象である子供Ｐ１がはぐれたことを確実に認識することができる。
【０１４０】
（４）管理区画を別の場所に設ける場合
以上においては、所定の管理区画が水族館の通路の所定のゾーンＺＡ〜ＺＪである場合を一例として説明したが、これに限られない。すなわち、その他の建造物や各種施設（ビル、病院、保育園、幼稚園、博物館、美術館、空港、駅、デパート、ショッピングセンター、遊園地）の一部分を構成する部屋・区画等の（一定の面積を備えた）種々の領域を、管理区画とすることができる。また、それら建造物や施設全体を、１つの管理区画とすることもできる。これらの場合も、上記と同様の効果を得る。
【０１４１】
本発明の第２実施形態を図２０〜図３０により説明する。この実施形態は、例えば３人以上の集団（以下の例では家族）が、レストランの混雑により２グループに分かれて行動せざるを得ない場合に対応し、グループ分けの着席案内を行う実施形態である。
【０１４２】
図２０は、本実施形態の被保護者管理システムの全体構成を概略的に示す説明図である。
【０１４３】
図２０において、このレストラン４０には、複数の（この例では６個の）テーブルＴＴａ〜ＴＴｆと、入口のドアＤとが設けられている。レストラン４０の外（ドアＤの近傍）には、案内を待つための所定の待合いスペース４１が設けられている。なお、この待合いスペース４１をレストラン４０内に設けてもよい。
【０１４４】
各テーブルＴＴａ〜ＴＴｆの周りには、複数の（この例では４つの）イスＣＨがそれぞれ配置されている。したがって、子供・親Ｐが、このレストラン４０にて食事をする際には、各テーブルＴＴａ〜ＴＴｆごとに、最大４人の子供・親Ｐが着席できるようになっている。なお、以下適宜、テーブルＴＴａ〜ＴＴｆを総称して単に「テーブルＴＴ」のように称する。
【０１４５】
なお、この図２０では、一例として、上記待合いスペース４１に子供用タグＴ１′（第１無線タグ。図示の例では子供用タグＴ１′Ａ）を所持する、１人の子供Ｐ１Ａと、対応する親用タグＴ２′（第２無線タグ。図示の例では親用タグＴ２′Ａ，Ｔ２′Ｂ）を所持する、親Ｐ２Ａ，Ｐ２Ｂとを示している。また、レストラン４０内に上記子供用タグＴ１′（図示の例では子供用タグＴ１′Ｃ，Ｔ１′Ｄ，Ｔ１′Ｅ）を所持する、複数の子供Ｐ１Ｃ，Ｐ１Ｄ，Ｐ１Ｅと、上記親用タグＴ２′（図示の例では親用タグＴ２′Ｃ，Ｔ２′Ｄ，Ｔ２′Ｅ，Ｔ２′Ｆ，Ｔ２′Ｇ，Ｔ２′Ｈ，Ｔ２′Ｉ，Ｔ２′Ｊ，Ｔ２′Ｋ，Ｔ２′Ｌ，Ｔ２′Ｍ，Ｔ２′Ｎ，Ｔ２′Ｏ）をそれぞれ所持する、複数の親Ｐ２Ｃ，Ｐ２Ｄ，Ｐ２Ｅ，Ｐ２Ｆ，Ｐ２Ｇ，Ｐ２Ｈ，Ｐ２Ｉ，Ｐ２Ｊ，Ｐ２Ｋ，Ｐ２Ｌ，Ｐ２Ｍ，Ｐ２Ｎ，Ｐ２Ｏとを示している。
【０１４６】
上記レストラン４０に適用される本実施形態の被保護者管理システム１′は、上記子供用タグＴ１′と、上記親用タグＴ２′と、複数のリーダＲ２Ａ，Ｒ２Ｂ，Ｒ２Ｃ，Ｒ２Ｄ，Ｒ２Ｅ，Ｒ２Ｆ（第１情報読み取り手段、情報読み取り手段）と、リーダＲ３（第２情報読み取り手段、情報読み取り手段）と、リーダライタＲＷと、ディスプレイ３０と、管理サーバ２０′とを有している。なお、以下適宜、子供用タグＴ１′（後述するように他の子供Ｐ１Ｆに係る子供用タグＴ１′Ｆがある場合はこれを含む）及び親用タグＴ２′を総称して単に「子供・親用タグＴ′」「タグＴ′」のように称する。
【０１４７】
子供Ｐ１の所有する子供用タグＴ１′と、その子供Ｐ１の親Ｐ２の所有する親用タグＴ２′とは、例えば子供用タグＴ１′のタグＩＤ（被保護者情報としての第１タグＩＤ）と親用タグＴ２′のタグＩＤ（保護者情報としての第２タグＩＤ）とが予め対応付けられることにより、互いに関連付けられている。タグＩＤの対応付けの仕方としては、上記第１実施形態と同様の手法を適用可能である。すなわち、データベースのテーブルの同一の欄に第１タグＩＤと第２タグＩＤとを横並びで記載したり、第１タグＩＤ及び第２タグＩＤに共通の親子識別子（フラグ）を別途付記して記載してもよい。あるいは、例えば子供・親Ｐがレストラン４０に入店した際に（例えば図示しない店員から）タグＴ′を受け取るようにしてもよいし、ディスプレイ３０の前で店員がタグＴ′を配布するようにしてもよい。この場合、第１タグＩＤと第２タグＩＤとが管理サーバ２０′により互いに対応付けられる。いずれにしても、このようにして実行された対応付けにより、リーダＲ２Ａ，Ｒ２Ｂ，Ｒ２Ｃ，Ｒ２Ｄ，Ｒ２Ｅ，Ｒ２Ｆやリーダ３が、いずれかのタグＴ′からタグ識別情報としてのタグＩＤを取得した場合、家族が誰であるか、子供の親が誰であるか、親の子供が誰であるか、何人で家族全員であるか、等をサーバ２０′が識別できるようになっている。
【０１４８】
各リーダＲ２Ａ〜Ｒ２Ｆは、それぞれ上記各テーブルＴＴａ〜ＴＴｆに対応して設けられており、当該各テーブルＴＴａ〜ＴＴｆに対して設けられた４つのイスＣＨを含むような所定の通信範囲Ｗ２Ａ〜Ｗ２Ｆをそれぞれ形成している。すなわち、子供・親Ｐが上記各テーブルＴＴａ〜ＴＴｆに係るイスＣＨに着席したときに、その子供・親Ｐが所持する子供・親用タグＴ′が、上記各テーブルＴＴａ〜ＴＴｆに対応する各リーダＲ２Ａ〜Ｒ２Ｆの各通信範囲Ｗ２Ａ〜Ｗ２Ｆに入るようになっている。これにより、各リーダＲ２Ａ〜Ｒ２Ｆは、子供・親Ｐが上記各テーブルＴＴａ〜ＴＴｆに係るイスＣＨに着席したときに、当該子供・親Ｐの子供・親用タグＴ′から情報（前述の第１タグＩＤや第２タグＩＤ等）の読み取りを行うことができる。なお、以下適宜、リーダＲ２Ａ〜Ｒ２Ｆを総称して単に「リーダＲ２」のように称し、所定の通信範囲Ｗ２Ａ〜Ｗ２Ｆを総称して単に「所定の通信範囲Ｗ２」のように称する。
【０１４９】
リーダＲ３は、レストラン４０の外に設けられており、上記待合いスペース４１に位置する子供・親Ｐの検出が可能な所定の通信範囲Ｗ３を形成している。すなわち、子供・親Ｐが待合いスペース４１に位置する場合には、その子供・親Ｐが所持する子供・親用タグＴ′が、上記リーダＲ３の通信範囲Ｗ３に入るようになっている。これにより、リーダＲ３は、子供・親Ｐが待合いスペース４１に位置するときに、（後述のように上記リーダＲに先だって）当該子供・親Ｐの子供・親用タグＴ′から情報（前述の第１タグＩＤや第２タグＩＤ等）の読み取りを行うことができる。なお、上記待合いスペース４１がレストラン４０内に設けられている場合は、このリーダＲ３もレストラン４０内に設けられることになる。
【０１５０】
ディスプレイ３０は、例えば液晶ディスプレイからなり、各種表示を行うことができる。
【０１５１】
リーダライタＲＷ及び管理サーバ２０′は、この例ではレストラン４０内のドアＤ付近に設置されている。
【０１５２】
図２１は、本実施形態の被保護者管理システム１′の機能的構成を表す機能ブロック図であり、前述の図２に対応する図である。図２と同等の部分には同一の符号を付し、適宜説明を省略又は簡略化する。
【０１５３】
図２１において、本実施形態の被保護者管理システム１′は、前述したように、子供用タグＴ１′と、親用タグＴ２′と、複数のリーダＲ２Ａ〜Ｒ２Ｆと、リーダＲ３と、リーダライタＲＷと、ディスプレイ３０と、これらリーダＲ２Ａ〜Ｒ２Ｆ、リーダＲ３、リーダライタＲＷ、及びディスプレイ３０に適宜の通信ネットワークＮＷでそれぞれ接続された管理サーバ２０′とを有している。
【０１５４】
子供用タグＴ１′及び親用タグＴ２′の機能的構成は、前述の図２に示す子供用タグＴ１及び親用タグＴ２と同様である。なお、子供用タグＴ１′に係るＩＣ回路部１５０が第１ＩＣ回路部に相当し、子供用タグＴ１′に係るタグアンテナ１５１が第１タグアンテナに相当する。また、親用タグＴ２′に係るＩＣ回路部１５０が第２ＩＣ回路部に相当し、親用タグＴ２′に係るタグアンテナ１５１が第２タグアンテナに相当する。子供用タグＴ１′及び親用タグＴ２′の無線タグ回路素子ＴｏのＩＣ回路部１５０のメモリ部１５５の記憶内容は、前述の図６（ａ）及び図６（ｂ）と同様である。
【０１５５】
各リーダＲ２Ａ〜Ｒ２Ｆは、アンテナ１０１Ｂ、高周波回路１０２Ｂ、及びネットワーク通信制御部１０３Ｂをそれぞれ有している。
【０１５６】
アンテナ１０１Ｂは、上記通信範囲Ｗ２内に位置する子供・親用タグＴ１′,Ｔ２′の無線タグ回路素子Ｔｏとの間で無線通信を行う。高周波回路１０２Ｂ及びネットワーク通信制御部１０３Ｂの機能的構成は、前述の図２で示す高周波回路１０２Ａ及びネットワーク通信制御部１０３Ａと同様である。
【０１５７】
リーダＲ３は、アンテナ１０１Ｃ、高周波回路１０２Ｃ、及びネットワーク通信制御部１０３Ｃを有している。
【０１５８】
アンテナ１０１Ｃは、上記通信範囲Ｗ３内に位置する子供・親用タグＴ１′,Ｔ２′の無線タグ回路素子Ｔｏとの間で無線通信を行う。高周波回路１０２Ｃ及びネットワーク通信制御部１０３Ｃの機能的構成は、前述の図２で示す高周波回路１０２Ａ及びネットワーク通信制御部１０３Ａと同様である。
【０１５９】
リーダライタＲＷの機能的構成は、前述の図２と同様である。
【０１６０】
管理サーバ２０′の機能的構成は、前述の図２で示す管理サーバ２０′と同様である。
【０１６１】
前述の図２０に戻り、例えば子供Ｐ１及び親Ｐ２からなる集団（すなわち家族）がレストラン４０内に入店する場合、まずレストラン４０の外のドアＤの近傍に設けられた上記待合いスペース４１に到達する。図２０には、前述したように、１人の子供Ｐ１Ａ及びその２人の親Ｐ２Ａ，Ｐ２Ｂとからなる家族が、上記待合いスペース４１に位置する状態を示している。
【０１６２】
すると、リーダＲ３により、上記待合いスペース４１に位置する、子供Ｐ１Ａが所持する子供用タグＴ１′Ａから前述の第１タグＩＤが取得されるとともに、親Ｐ２Ａ，Ｐ２Ｂが所持する親用タグＴ２′Ａ，Ｔ２′Ｂから対応する第２タグＩＤが取得される。すなわち、子供用タグＴ１′及び親用タグＴ２′を含む合計３つの子供・親用タグＴ１′Ａ，Ｔ２′Ａ，Ｔ２′Ｂから、第１タグＩＤ及び対応する第２タグＩＤが取得される。これにより、管理サーバ２０′は、子供Ｐ１及びその親Ｐ２を含む合計３人の家族が上記待合いスペース４１にいることを検知することができる。
【０１６３】
このとき、本実施形態においては、少なくとも１つの子供用タグＴ１′及び少なくとも１つの親用タグＴ２′を含む合計３つの子供・親用タグＴ１′，Ｔ２′（以下適宜、省略して「家族タグＴ１′，Ｔ２′」と称する）から、第１タグＩＤ及び対応する第２タグＩＤが取得された場合に、各リーダＲ２Ａ〜Ｒ２Ｆにより、各テーブルＴＴａ〜ＴＴｆに係るイスＣＨに着席している子供・親Ｐが所持する子供・親用タグＴ′から、情報（第１タグＩＤ及び第２タグＩＤ）の取得が行われるようになっている。そして、それら各リーダＲ２Ａ〜Ｒ２Ｆの情報取得結果に基づき、各テーブルＴＴａ〜ＴＴｆに係るイスＣＨに着席している子供・親Ｐの人数、言い換えれば、各テーブルＴＴａ〜ＴＴｆに対して設けられた４つのイスＣＨのうち子供・親Ｐが着席していないイスＣＨの数（以下適宜、「空席数」と称する）が検出される。
【０１６４】
すなわち、図２０の例では、テーブルＴＴａに係る４つのイスＣＨには、親用タグＴ２′Ｃを所持する親Ｐ２Ｃ、親用タグＴ２′Ｄを所持する親Ｐ２Ｄ、親用タグＴ２′Ｅを所持する親Ｐ２Ｅ、及び親用タグＴ２′Ｆを所持する親Ｐ２Ｆの合計４人が着席している（＝満席状態）。したがって、テーブルＴＴａに係る空席数は０席と検出される。
【０１６５】
テーブルＴＴｂに係る４つのイスＣＨには、子供用タグＴ１′Ｃを所持する子供Ｐ１Ｃ及び親用タグＴ２′Ｇを所持する親Ｐ２Ｇの合計２人が着席している。したがって、テーブルＴＴｂに係る空席数は２席と検出される。
【０１６６】
テーブルＴＴｃに係る４つのイスＣＨには、親用タグＴ２′Ｈを所持する親Ｐ２Ｈ及び親用タグＴ２′Ｉを所持する親Ｐ２Ｉの合計２人が着席している。したがって、テーブルＴＴｃに係る空席数は２席と検出される。
【０１６７】
テーブルＴＴｄに係る４つのイスＣＨには、子供用タグＴ１′Ｄを所持する子供Ｐ１Ｄ、子供用タグＴ１′Ｅを所持する子供Ｐ１Ｅ、親用タグＴ２′Ｊを所持する親Ｐ２Ｊ、及び親用タグＴ２′Ｋを所持する親Ｐ２Ｋの合計４人が着席している（＝満席状態）。したがって、テーブルＴＴｄに係る空席数は０席と検出される。
【０１６８】
テーブルＴＴｅに係る４つのイスＣＨには、親用タグＴ２′Ｌを所持する親Ｐ２Ｌの合計１人が着席している。したがって、テーブルＴＴｅに係るイスＣＨの空席数は３席と検出される。
【０１６９】
テーブルＴＴｆに係る４つのイスＣＨには、親用タグＴ２′Ｍを所持する親Ｐ２Ｍ、親用タグＴ２′Ｎを所持する親Ｐ２Ｎ、及び親用タグＴ２′Ｏを所持する親Ｐ２Ｏの合計３人が着席している。したがって、テーブルＴＴｆに係る空席数は１席と検出される。
【０１７０】
そして、各テーブルＴＴａ〜ＴＴｆに係る空席数が検出されると、各テーブルＴＴａ〜ＴＴｆと、空席数とが対応付けられて、例えばメモリ２２に記憶される。
【０１７１】
図２２は、上記のようにして検出された、各テーブルＴＴａ〜ＴＴｆと、検出された空席数との対応関係の一例を表す表である。
【０１７２】
図２２に示すように、テーブルＴＴａに係る空席数は０席と検出され、テーブルＴＴｂに係る空席数は２席と検出され、テーブルＴＴｃに係る空席数は２席と検出され、テーブルＴＴｄに係る空席数は０席と検出され、テーブルＴＴｅに係る空席数は３席と検出され、テーブルＴＴｆに係る空席数は１席と検出されている。
【０１７３】
図２３は、各テーブルＴＴａ〜ＴＴｆと、検出された空席数との対応関係の他の例を表す表である。
【０１７４】
図２３に示すように、テーブルＴＴａに係る空席数は０席と検出され、テーブルＴＴｂに係る空席数は２席と検出され、テーブルＴＴｃに係る空席数は２席と検出され、テーブルＴＴｄに係る空席数は０席と検出され、テーブルＴＴｅに係る空席数は０席と検出され、テーブルＴＴｆに係る空席数は１席と検出されている。
【０１７５】
ここで、本実施形態では、１つ以上の子供・親用タグＴ１′，Ｔ２′から第１タグＩＤ及び対応する第２タグＩＤが取得された場合の、リーダＲ３の情報取得結果、及び、各リーダＲ２Ａ〜Ｒ２Ｆの情報取得結果に応じて、当該家族タグＴ１′，Ｔ２′をグループ分けするガイド表示が行われる。言い換えれば、少なくとも１人の子供Ｐ１及び少なくとも１人の親Ｐ２を含む合計３人以上の子供・親からなる家族（以下適宜、省略して「３人以上の家族」と称する）が、上記待合いスペース４１にいる場合、当該３人以上の家族の構成、及び、上記各テーブルＴＴａ〜ＴＴｆに係る空席数に応じて、当該３人以上の家族をグループ分けするガイド表示が行われるのである。以下、上記家族タグＴ１′，Ｔ２′のグループ分け、言い換えれば、上記３人以上の家族のグループ分けについて説明する。
【０１７６】
（Ａ）３人家族（親２人、子供１人）のグループ分け表示
まず、親２人子供１人の３人家族におけるグループ分けの場合を例にとって説明する。
【０１７７】
（Ａ−１）３人一緒に同一テーブルに座れる場合
図２４は、上記各テーブルＴＴａ〜ＴＴｆのうち、空席数が３席以上あるテーブルが存在する場合（例えば図２２のテーブルＴＴｅ参照）に対応している。図２４中矢印の左側に、上記待合いスペース４１に位置する家族の構成を示し、図２４中矢印の右側に、当該家族のグループ分けの一例を示している。この例では、上記待合いスペース４１に位置する上記３人家族の構成が、子供用タグＴ１′Ａを所持する子供Ｐ１Ａ、親用タグＴ２′Ａを所持する親Ｐ２Ａ、及び親用タグＴ２′Ｂを所持する親Ｐ２Ｂである場合を示している。この場合、上記子供Ｐ１Ａ、親Ｐ２Ａ、親Ｐ２Ｂからなる家族は、１つのグループで、すなわち家族全員で（後述の図２６（ａ）のように２つのグループにグループ分けすることなく）同一のテーブルＴＴｅに係る３つのイスＣＨにそれぞれ着席することができる。本実施形態では、このような場合には、家族全員で着席可能なテーブルＴＴの場所を示すガイド表示を行う。
【０１７８】
図２５は、上記ガイド表示時における、ディスプレイ３０での表示画面の一例を表す図である。図２５において、前述したように、子供Ｐ１Ａ、親Ｐ２Ａ、親Ｐ２Ｂからなる家族全員で着席可能なテーブルＴＴの場所（テーブルＴＴｅに相当する「５番テーブル」）を示すガイド表示を含む表示（「５番テーブルで大人２名・子供１名様がご利用頂けます」）が表示画面の上部で行われている。
【０１７９】
また、表示画面の大部分（この例では表示画面のうち約下４分の３部分）にわたって、前述の図２０に示すレストラン４０の概略地図が表示されている。そして、その地図上に、現在の家族の位置（「現在地」）と、上記家族全員で着席可能なテーブルＴＴへの移動ルート（「現在地」からの矢印）及びその移動場所（子供Ｐ１を『小さい人物』、親Ｐ２を『大きい人物』で表した人物図が位置するテーブルＴＴ）とを示している。
【０１８０】
（Ａ−２）２人と１人とに分かれて座る場合
図２６（ａ）及び図２６（ｂ）は、上記各テーブルＴＴａ〜ＴＴｆのうち、空席数が３席以上あるテーブルＴＴが存在せず、かつ、空席数が２席あるテーブルが存在していた場合（例えば図２３のテーブルＴＴｂ，ＴＴｃ参照）に対応している。図２４と同様、矢印の左側に家族の構成を示し、矢印の右側に家族のグループ分けの一例を示している。この場合、本実施形態では、上記子供Ｐ１Ａ、親Ｐ２Ａ、親Ｐ２Ｂからなる家族は、当該家族を２人の子供・親Ｐからなるグループと、１人の子供・親Ｐのグループとにグループ分けする。
【０１８１】
このグループ分けの仕方としては、まず図２６（ａ）に示すように、子供Ｐ１Ａ、親Ｐ２Ａ、親Ｐ２Ｂからなる家族を、子供Ｐ１Ａ及び親Ｐ２Ａ（又は親Ｐ２Ｂ）からなるグループＧ１、及び、親Ｐ２Ｂ（又は親Ｐ２Ａ）単独のグループＧ２にグループ分けする場合が考えられる。この場合は、子供Ｐ１Ａに対して親Ｐ２Ａが付き添っているので、子供Ｐ１Ａが単独でテーブルＴＴに係るイスＣＨに着席する状態を回避でき、このグループ分けは適切である。
【０１８２】
一方、図２６（ｂ）に示すように、子供Ｐ１Ａ、親Ｐ２Ａ、親Ｐ２Ｂからなる家族を、子供Ｐ１Ａ単独のグループＧ３と、２人の親Ｐ２Ａ，Ｐ２ＢからなるグループＧ４とにグループ分けする場合も考えられる。この場合は、子供Ｐ１Ａに対していずれの親Ｐ２Ａ，Ｐ２Ｂも付き添ってないので、子供Ｐ１Ａが単独でテーブルＴＴに係るイスＣＨに着席する状態になってしまい、セキュリティーや防犯性の面からも、このグループ分けは不適切である。
【０１８３】
本実施形態では、上記適切なグループ分けとなるように、図２６（ａ）に示すような手法でグループ分けを行う。リーダＲ３が家族タグＴ１′，Ｔ２′を検出した場合には、それらを、少なくとも１つの子供用タグＴ１′及び少なくとも１つの親用タグＴ２′を含む第１グループと、それ以外の第２グループとに、グループ分けするガイド表示を行う。言い換えれば、上記待合いスペース４１に３人以上の家族がいた場合、少なくとも１人の子供Ｐ１及び少なくとも１人の親Ｐ２を含むグループと、それ以外のグループとに、グループ分けするガイド表示を行うのである。この結果、上記の子供Ｐ１Ａ、親Ｐ２Ａ、親Ｐ２Ｂからなる家族は、入店後、子供Ｐ１Ａ及び親Ｐ２Ａ（又は親Ｐ２Ｂ）からなるグループＧ１と、親Ｐ２Ｂ（又は親Ｐ２Ａ）のグループＧ２とに、分かれて着席することができる。
【０１８４】
図２７は、上記図２６（ａ）に示したグループ分けが行われる場合の、ディスプレイ３０での表示画面の一例を表す図である。図２７において、表示画面の上部には、子供Ｐ１Ａ、親Ｐ２Ａ、親Ｐ２Ｂからなる家族を、上記グループＧ１と、それ以外のグループＧ２とに、グループ分けするガイド表示を行う。このガイド表示では、グループＧ１の親Ｐ２Ａ及び子供Ｐ１を「大人１名・子供１名様」で示し、グループＧ２の親Ｐ２Ｂを「大人１名様」で示している。さらに、この表示画面には、上記グループＧ１が着席可能なテーブルＴＴの場所（テーブルＴＴｂに相当する「２番テーブル」）と、上記グループＧ２が着席可能なテーブルＴＴの場所（テーブルＴＴｆに相当する「６番テーブル」）とを示すガイド表示が行われている。
【０１８５】
また、上記図２５と同様に、表示画面の大部分にわたって、レストラン４０の概略地図が表示されている。そして、その地図上に、現在の家族の位置と、グループＧ１が着席可能なテーブルＴＴへの移動ルート（「現在地」からの矢印）及びその移動場所と、グループＧ２が着席可能なテーブルＴＴへの移動ルート（「現在地」からの矢印）及びその移動場所とを示している。
【０１８６】
そして、以上のように、３人以上の家族に対して、グループ分けのガイド表示を含む表示が行われた場合には、その後、上記各リーダＲ２Ａ〜Ｒ２Ｆにより、上記３人以上の家族がそれぞれ所持する家族タグＴ１′，Ｔ２′から、第１タグＩＤ及び第２タグＩＤの取得が行われる。そして、各リーダＲ２Ａ〜Ｒ２Ｆの情報取得結果に基づき、家族タグＴ１′，Ｔ２′が上記第１グループとそれ以外の第２グループと別れた態様で上記３人以上の家族が着席したかどうか、が判別される。
【０１８７】
図２８は、上記図２７に示すガイド表示に沿い、子供Ｐ１Ａ、親Ｐ２Ａ、親Ｐ２Ｂからなる家族が、グループ分けのガイド表示に従ってグループ分けし、別々のテーブルＴＴに着席するときの挙動を表す図である。
【０１８８】
図２８において、上記待合いスペース４１に位置していた子供Ｐ１Ａ、親Ｐ２Ａ、親Ｐ２Ｂからなる家族が、上記図２７に示すグループ分けのガイド表示に従い、子供Ｐ１Ａ及び親Ｐ２ＡからなるグループＧ１はテーブルＴＴｂに係るイスＣＨに着席し、親Ｐ２Ｂ単独のグループＧ２はテーブルＴＴｆに係るイスＣＨに着席している。
【０１８９】
このとき、上記のように、３人以上の家族に対してグループ分けのガイド表示を含む表示を行った場合には、本実施形態では、その家族が当該ガイド表示に従って、上記第１グループと上記第２グループとに別れて着席したかどうかを判別する。図２８の例では、子供用タグＴ１′Ａと親用タグＴ２′ＡとがリーダＲ２Ｂの通信範囲Ｗ２Ｂに入り、リーダＲ２ＢがタグＴ１′Ａから第１タグＩＤを取得し、タグＴ２′Ａから第２タグＩＤを取得することで、子供Ｐ１Ａ及び親Ｐ２ＡがテーブルＴＴｂに係るイスＣＨに着席したことが認識される。また、親用タグＴ２′ＢがリーダＲ２Ｆの通信範囲Ｗ２Ｆに入り、リーダＲ２ＦがタグＴ２′Ｂから第２タグＩＤを取得することで、親Ｐ２ＢがテーブルＴＴｆに係るイスに着席したことが認識されるのである。
【０１９０】
なお、この場合において、リーダＲ２Ｂが第１グループ用情報読み取り手段に相当し、リーダＲＢＦが第２グループ用情報読み取り手段に相当する。
【０１９１】
なお、図示は省略しているが、上記子供Ｐ１Ａ、親Ｐ２Ａ、親Ｐ２Ｂからなる家族がガイド表示通りに上記グループＧ１と上記グループＧ２とに分かれて着席せず、前述の図２６（ｂ）に示したように子供Ｐ１Ａ単独のグループＧ３と２人の親Ｐ２Ａ，Ｐ２ＢからなるグループＧ４とに分かれて着席した場合には、例えばレストラン４０の店員に対して、その旨が報知されるようにしてもよい（後述の図３０のステップＳ３２０参照）。
【０１９２】
（Ｂ）４人家族（親２人、子供２人）のグループ分け
上記（Ａ）では３人家族の場合を例にとって説明したが、これに限られず、４人以上の場合に適用してもよい。
【０１９３】
例えば２名の親Ｐ２，Ｐ２と２名の子供Ｐ１，Ｐ１の合計４人家族に対し、本実施形態では、それぞれ２つの空席がある２つのテーブルＴＴが存在した場合には、図２９（ａ）に示すように、子供Ｐ１及び親Ｐ２からなるグループＧ５と、子供Ｐ１及び親Ｐ２からなるグループＧ６とにグループ分けする。この場合は、各グループで、子供Ｐ１に対して親Ｐ２が付き添っており、このグループ分けとして適切である。この場合、図２９（ｂ）に示すように、２人の親Ｐ２，Ｐ２からなるグループＧ７と、２人の子供Ｐ１，Ｐ１同士からなるグループＧ８とへのグループ分けは、いずれの子供Ｐ１に対しても親Ｐ２が付き添わず不適切であるため、行わない。
【０１９４】
なお、３つの空席があるテーブルＴＴと１つの空席があるテーブルＴＴが存在した場合には、図２９（ｃ）に示すように、子供Ｐ１，Ｐ１及び親Ｐ２の合計３名からなるグループＧ９と、１人の親Ｐ２のグループＧ１０とにグループ分けする。この場合、２人の子供Ｐ１，Ｐ１に対して親Ｐ２が付き添っており、グループ分けとして適切である。この場合、図２９（ｄ）に示すように、１人の子供Ｐ１及び２人の親Ｐ２，Ｐ２からなるグループＧ１１と１人の子供Ｐ１のグループＧ１２とへのグループ分けは、１人の子供Ｐ１に対しいずれの親Ｐ１も付き添わず不適切であるため、行わない。
【０１９５】
（Ｃ）制御手順
図３０は、以上（Ａ）（Ｂ）で説明した内容を実行するために、管理サーバ２０′のＣＰＵ２１によって行われる、ガイド表示及び着席確認に関する制御内容を表すフローチャートである。
【０１９６】
図３０において、例えば管理サーバ２０′の電源がオンにされることによって、このフローが開始される（「ＳＴＡＲＴ」位置）。
【０１９７】
まずステップＳ２００で、ＣＰＵ２１は、リーダＲ３を介して、その通信範囲Ｗ３内に位置する子供・親用タグＴ′の無線タグ回路素子Ｔｏから情報の読み取りを行う。具体的には、ＣＰＵ２１は、ネットワーク通信制御部２６、通信ネットワークＮＷ、ネットワーク通信制御部１０３Ｃ、高周波回路１０２Ｃ、及びアンテナ１０１Ｃを介し、上記通信範囲Ｗ３内に位置する子供・親用タグＴ′の無線タグ回路素子Ｔｏに対して、前述のタグ読み取り信号を送信する。
【０１９８】
その後、ステップＳ２１０で、ＣＰＵ２１は、上記ステップＳ２００で送信したタグ読み取り信号に対応して、子供・親用タグＴ′の無線タグ回路素子Ｔｏから返信された応答信号を、アンテナ１０１Ｃ、高周波回路１０２Ｃ、ネットワーク通信制御部１０３Ｃ、通信ネットワークＮＷ、及びネットワーク通信制御部２６を介して受信したか否かを判定する。応答信号を受信しない場合には、判定が満たされず上記ステップＳ２００に戻り、再び上記タグ読み取り信号の送信を繰り返す（リトライ）。応答信号を受信した場合には、判定が満たされてステップＳ２２０に移る。
【０１９９】
ステップＳ２２０では、ＣＰＵ２１は、上記ステップＳ２１０で受信した応答信号より、上記通信範囲Ｗ３内に位置する、言い換えれば、上記待合いスペース４１に位置する子供・親Ｐが所持する、子供・親用タグＴ′の無線タグ回路素子ＴｏのＩＣ回路部１５０に記憶された情報を抽出して取得する。
【０２００】
そして、ステップＳ２３０で、ＣＰＵ２１は、上記ステップＳ２２０の情報取得結果に基づき、少なくとも１つの子供用タグＴ１′及び少なくとも１つの親用タグＴ２′を含む合計３つの子供・親用タグＴ１′，Ｔ２′から第１タグＩＤ及び第２タグＩＤを取得したか否かを判定する。言い換えれば、子供１人親１人を含む３人以上の家族が、上記待合いスペース４１に存在しているか否かを判定する。上記３人以上の家族が上記待合いスペース４１に存在していなかった場合には、判定が満たされず、このフローを終了する。一方、上記３人以上の家族が上記待合いスペース４１に存在していた場合には、判定が満たされてステップＳ２４０に移る。
【０２０１】
ステップＳ２４０では、ＣＰＵ２１は、各リーダＲ２Ａ〜Ｒ２Ｆを介して、上記各通信範囲Ｗ２Ａ〜Ｗ２Ｆ内に位置する、子供・親用タグＴ′の無線タグ回路素子Ｔｏから情報の読み取りを行う。具体的には、ＣＰＵ２１は、ネットワーク通信制御部２６、通信ネットワークＮＷ、各ネットワーク通信制御部１０３Ｂ、各高周波回路１０２Ｂ、及び各アンテナ１０１Ｂを介し、上記各通信範囲Ｗ２Ａ〜Ｗ２Ｆ内に位置する子供・親用タグＴ′の無線タグ回路素子Ｔｏに対して、前述のタグ読み取り信号を送信する。そして、当該タグ読み取り信号に対応して、子供・親用タグＴ′の無線タグ回路素子Ｔｏから返信された応答信号を、各アンテナ１０１Ｃ、各高周波回路１０２Ｃ、各ネットワーク通信制御部１０３Ｃ、通信ネットワークＮＷ、及びネットワーク通信制御部２６を介して受信する。
【０２０２】
その後、ステップＳ２５０で、ＣＰＵ２１は、上記ステップＳ２４０で受信した応答信号より、上記各通信範囲Ｗ２Ａ〜Ｗ２Ｆ内に位置する、言い換えれば、各テーブルＴＴａ〜ＴＴｆに係るイスＣＨに着席している子供・親Ｐが所持する、子供・親用タグＴ′の無線タグ回路素子ＴｏのＩＣ回路部１５０に記憶された情報（第１タグＩＤや第２タグＩＤを含む）を抽出して取得する。
【０２０３】
そして、ステップＳ２６０で、ＣＰＵ２１は、上記ステップＳ２５０の情報取得結果に基づき、上記各テーブルＴＴａ〜ＴＴｆに係る空席数を検出し、各テーブルＴＴａ〜ＴＴｆと、上記検出した空席数とを対応させて、例えばメモリ２２に記憶させる。
【０２０４】
その後、ステップＳ２７０で、ＣＰＵ２１は、上記ステップＳ２２０の情報取得結果（＝待合スペース４１にいる上記３人以上の家族の人員構成）、及び、上記ステップＳ２６０において検出された上記各テーブルＴＴａ〜ＴＴｆに係る空席数に応じて、前述した手法により第１グループ及び第２グループにグループ分けするガイド表示を行うための表示信号を生成する。そして、ＣＰＵ２１は、ネットワーク通信制御部２６及び通信ネットワークＮＷを介し、ディスプレイ３０に上記生成した表示信号を出力し、上記グループ分けするガイド表示を含む表示（図２５及び図２７参照）を行わせる。なお、上記グループ分けするガイド表示を行うための表示信号を生成し出力する処理が、被保護者の保護状態を維持するための所定の情報処理に相当する。また、このステップＳ２７０が、各請求項記載の表示信号生成手段として機能するとともに、情報処理手段としても機能する。
【０２０５】
そして、ステップＳ２８０で、ＣＰＵ２１は、上記ステップＳ２４０と同様に、各リーダＲ２Ａ〜Ｒ２Ｆを介して、上記各通信範囲Ｗ２Ａ〜Ｗ２Ｆ内に位置する、子供・親用タグＴ′の無線タグ回路素子Ｔｏから情報の読み取りを行う。
【０２０６】
その後、ステップＳ２９０で、ＣＰＵ２１は、上記ステップＳ２５０と同様に、上記各通信範囲Ｗ２Ａ〜Ｗ２Ｆ内に位置する子供・親用タグＴ′の無線タグ回路素子ＴｏのＩＣ回路部１５０に記憶された情報を抽出して取得する。
【０２０７】
そして、ステップＳ３００で、ＣＰＵ２１は、上記ステップＳ２９０で取得された情報の中に、上記ステップＳ２２０で取得された上記家族タグＴ１′，Ｔ２′に係る第１タグＩＤ及び対応する第２タグＩＤが含まれていたか否かを判定する。言い換えれば、上記待合いスペース４１に位置していた上記３人以上の家族が、いずれかのテーブルＴＴに係るイスＣＨに着席したか否かを判定する。上記３人以上の家族がまだ着席していない場合には、判定が満たされず、上記ステップＳ２８０に移り同様の手順を繰り返す。上記３人以上の家族が既に着席していた場合には、判定が満たされてステップＳ３１０に移る。
【０２０８】
ステップＳ３１０では、ＣＰＵ２１は、上記家族タグＴ１′，Ｔ２′が、ステップＳ２７０でのガイド表示に対応したリーダＲ２によりそれぞれ検出されたか、言い換えれば、上記３人以上の家族が上記ガイド表示に沿って正しく着席したかどうかを判定する。正しく着席している場合には判定が満たされて、このフローを終了する。一方、正しく着席していない場合には、判定が満たされずステップＳ３２０に移る。
【０２０９】
ステップＳ３２０では、ＣＰＵ２１は、表示部２４に表示信号を出力し、上記ガイド表示に沿った形で正しく着席されていない、すなわち、子供Ｐ１が着席しているテーブルＴＴに親Ｐ２が１人も着席していない旨を表す表示（例えば「○テーブルのお子様は保護者が付き添っていません。保護者は○テーブルにいます」などのテキスト表示）を表示させ、例えば店員に報知する。そして、このフローを終了する。
【０２１０】
以上説明したように、本実施形態によれば、リーダＲ３が通信範囲Ｗ３内の上記家族タグＴ１′，Ｔ２′から第１タグＩＤ及び第２タグＩＤを取得することで上記３人以上の家族の存在を検知する。すると、子供Ｐ１の所持する子供用タグＴ１′が存在する第１グループに、必ず親Ｐ２の所持する親用タグＴ２′が含められるような、ガイド表示の表示信号を出力し、ガイド表示を行う（ステップＳ２７０参照）。この結果、３人以上の家族に対し、子供Ｐ１がいるグループには必ず最低１人の親Ｐ２が含まれるようなグループ分けのガイド表示が行われるので、子供Ｐ１が親Ｐ２なしの単独で行動する状態を回避することができる。この結果、セキュリティーや防犯性を向上することができる。
【０２１１】
また、本実施形態によれば、上記ガイド表示を行った後、対応するリーダＲ２が、子供用タグＴ１′及び親用タグＴ２′から第１タグＩＤ及び第２タグＩＤを取得し、上記３人以上の家族が上記ガイド表示に従って着席したかどうかを判定する（ステップＳ３１０参照）。これにより、子供Ｐ１に対し最低１人の親Ｐ２が付き添ったグループと、それ以外のグループとに分かれて行動したことを、確実に識別することができる。
【０２１２】
なお、上記第２実施形態では、本発明を、レストランにおいて保護者及び被保護者からなる集団に対するグループ分けの着席案内を行うような場合に適用したが、これに限られない。すなわち、集団で利用可能な各種施設、例えば休憩所、映画館、図書館、等における、保護者及び被保護者からなる集団に対するグループ分けの着席案内を行うような場合に適用してもよい。この場合も上記第２実施形態と同様の効果を得る。
【０２１３】
なお、以上において、図３、図４等の各図中に示す矢印は信号の流れの一例を示すものであり、信号の流れ方向を限定するものではない。
【０２１４】
また、図１０、図１１等に示すフローチャートは本発明を上記フローに示す手順に限定するものではなく、発明の趣旨及び技術的思想を逸脱しない範囲内で手順の追加・削除又は順番の変更等をしてもよい。
【０２１５】
また、以上既に述べた以外にも、上記第１実施形態、第２実施形態、及び各変形例による手法を適宜組み合わせて利用しても良い。
【０２１６】
その他、一々例示はしないが、本発明は、その趣旨を逸脱しない範囲内において、種々の変更が加えられて実施されるものである。
【符号の説明】
【０２１７】
１                  被保護者管理システム
１′                被保護者管理システム
２０                管理サーバ
２０′              管理サーバ
２１                ＣＰＵ
１５０              ＩＣ回路部（第１ＩＣ回路部、第２ＩＣ回路部、第３ＩＣ回路部）
１５１              タグアンテナ（第１タグアンテナ、第２タグアンテナ、第３タグアンテナ）
ＣＡＡ〜Ｊ          監視カメラ（撮像手段）
Ｐ１Ａ〜Ｆ          子供（被保護者）
Ｐ２Ａ〜Ｏ          親（保護者）
Ｒ１Ａ〜Ｊ          第１リーダ（通過検出用情報読み取り手段、第１情報読み取り手段、情報読み取り手段）
Ｒ２Ａ〜Ｒ２Ｆ      第２リーダ（第１情報読み取り手段、情報読み取り手段）
Ｒ３                第３リーダ（第２情報読み取り手段、情報読み取り手段）
ＲＷ                リーダライタ
Ｓ                  係員（システム管理者又はその権限を委託された者）
Ｔ１Ａ，Ｂ          子供用タグ（第１無線タグ）
Ｔ１′Ａ〜Ｆ        子供用タグ（第１無線タグ）
Ｔ２Ａ，Ｂ          親用タグ（第２無線タグ）
Ｔ２′Ａ〜Ｏ        親用タグ（第２無線タグ）
Ｔｏ                無線タグ回路素子
ＴＳ                係員用タグ（第３無線タグ）
Ｗ１Ａ〜Ｊ          所定の通信範囲
Ｗ２Ａ〜Ｆ          所定の通信範囲
Ｗ３                所定の通信範囲
ＺＡ〜Ｉ            ゾーン（所定の管理区画）
ＺＪ                ゾーン（特定の管理区画、所定の管理区画）
【図１】
2011034423.tif 000003
【図２】
2011034423.tif 000004
【図３】
2011034423.tif 000005
【図４】
2011034423.tif 000006
【図５】
2011034423.tif 000007
【図６】
2011034423.tif 000008
【図７】
2011034423.tif 000009
【図８】
2011034423.tif 000010
【図９】
2011034423.tif 000011
【図１０】
2011034423.tif 000012
【図１１】
2011034423.tif 000013
【図１２】
2011034423.tif 000014
【図１３】
2011034423.tif 000015
【図１４】
2011034423.tif 000016
【図１５】
2011034423.tif 000017
【図１６】
2011034423.tif 000018
【図１７】
2011034423.tif 000019
【図１８】
2011034423.tif 000020
【図１９】
2011034423.tif 000021
【図２０】
2011034423.tif 000022
【図２１】
2011034423.tif 000023
【図２２】
2011034423.tif 000024
【図２３】
2011034423.tif 000025
【図２４】
2011034423.tif 000026
【図２５】
2011034423.tif 000027
【図２６】
2011034423.tif 000028
【図２７】
2011034423.tif 000029
【図２８】
2011034423.tif 000030
【図２９】
2011034423.tif 000031
【図３０】
2011034423.tif 000032